(57)【特許請求の範囲】
【請求項１】
リソース構成を調整するために無線ネットワークコントローラによって実行される方法であって：
上りリンクの共通拡張専用トランスポートチャネルＥ−ＤＣＨリソースプールの構成情報を基地局に送信するステップであって、上りリンクの共通Ｅ−ＤＣＨリソースプールの前記構成情報は、第１の送信時間間隔に対応する第１のリソースプールの情報及び第２の送信時間間隔に対応する第２のリソースプールの情報を含む、送信するステップ；
前記リソースプールの使用に従って前記基地局が送信する指示情報を受信するステップ；及び
前記指示情報に従って、前記第１のリソースプールの構成を調整するステップ；
を備え、
前記指示情報は、前記第１のリソースプールの前記構成の調整モードを決定するために使用される前記リソースプールの前記使用を含み、かつ前記リソースプールの前記使用は、前記第１のリソースプールと前記第２のリソースプールとの間のリソース切り替えの統計的な情報を含み；
前記第１のリソースプールと前記第２のリソースプールとの間のリソース切り替えの前記統計的な情報は：事前に定められた時間内において、ランダムアクセスを実行し、かつ上りリンクの送信を行うために前記第１の送信時間間隔を選択したが、上りリンクの送信を行うために前記第２の送信時間間隔を使用することを許可されたユーザ装置の数を含む、
方法。
【請求項２】
前記リソースプールの前記使用は、さらに、以下の統計的な情報のうちの１つ以上を含む：前記第１のリソースプールの許可されたリソースの統計的な情報、及び前記第１のリソースプールの拒否されたリソースの統計的な情報；
請求項１に記載の方法。
【請求項３】
前記指示情報は共通測定結果であり、かつ
前記方法は、さらに：
共通測定初期化要求を前記基地局に送信するステップであって、前記共通測定初期化要求は前記共通測定結果を通知することを前記基地局に要求するために使用される、ステップ；を備える
請求項１又は２に記載の方法。
【請求項４】
前記共通測定初期化要求は：第１の事前に設定された閾値であって、リソース切り替えの前記統計的な情報に含まれる前記数が前記第１の事前に設定された閾値よりも大きい場合に、前記共通測定結果を通知することを前記基地局に指示するために使用される、第１の事前に設定された閾値、を含む、
請求項３に記載の方法。
【請求項５】
前記指示情報に従う前記第１のリソースプールの前記構成の前記調整は：
リソース切り替えの前記統計的な情報に含まれる前記数が第２の事前に設定された閾値よりも大きい場合に、前記第１のリソースプールの範囲を増やすことを含み、
前記方法は、さらに：前記第１のリソースプールの前記範囲を増やすために使用される再構成要求を前記基地局に送信するステップ；を備える、
請求項１から４のいずれか１項に記載の方法。
【請求項６】
前記第１のリソースプールの前記許可されたリソースの前記統計的な情報は：第１の事前に定められた時間内において、上りリンクの送信を行うために前記第１の送信時間間隔を使用するユーザ装置に前記基地局が許可する前記リソースの数を含み；かつ
前記第１のリソースプールの前記拒否されたリソースの前記統計的な情報は：第２の事前に定められた時間内において、前記基地局により検出されたが、前記第１のリソースプールの共通Ｅ−ＤＣＨリソースの割り当てを拒否されたランダムアクセスチャネルプリアンブルの前記数を含む、
請求項２に記載の方法。
【請求項７】
リソース構成を調整するために基地局により実行される方法であって：
無線ネットワークコントローラにより送信される上りリンクの共通拡張専用トランスポートチャネルＥ−ＤＣＨリソースプールの構成情報を受信するステップであって、上りリンクの共通Ｅ−ＤＣＨリソースプールの前記構成情報は、第１の送信時間間隔に対応する第１のリソースプールの情報及び第２の送信時間間隔に対応する第２のリソースプールの情報を含む、受信するステップ；及び
前記リソースプールのリソースの使用に従って前記無線ネットワークコントローラに指示情報を送信するステップであって、前記指示情報は前記第１のリソースプールの中のリソースの構成を調整するために前記無線ネットワークコントローラにより使用される、送信するステップ；
を備え、
前記指示情報は、前記リソースプールの使用であって、前記第１のリソースプールの前記構成の調整モードを決定するために使用される、前記リソースプールの使用を含み、かつ前記リソースプールの前記使用は、前記第１のリソースプールと前記第２のリソースプールとの間のリソース切り替えの統計的な情報を含み；
前記第１のリソースプールと前記第２のリソースプールとの間のリソース切り替えの前記統計的な情報は：事前に定められた時間内において、ランダムアクセスを実行し、かつ上りリンクの送信を行うために前記第１の送信時間間隔を選択したが、上りリンクの送信を行うために前記第２の送信時間間隔を使用することを許可されたユーザ装置の数を含む、
方法。
【請求項８】
前記リソースプールの前記使用は、さらに、以下の統計的な情報のうちの１つ以上を含む：前記第１のリソースプールの許可されたリソースの統計的な情報、及び第１のリソースプールの拒否されたリソースの統計的な情報；
請求項７に記載の方法。
【請求項９】
前記指示情報は共通測定結果であり；かつ
前記方法は、さらに：
共通測定初期化要求を前記無線ネットワークコントローラから受信するステップであって、前記共通測定初期化要求は前記共通測定結果の通知を要求するために使用される、ステップ；を備え、
前記リソースプールの前記リソースの使用に従って前記無線ネットワークコントローラに前記指示情報を送信するステップは：
前記共通測定結果及び前記第１のリソースプール及び／又は前記第２のリソースプールの前記リソースの使用に従って、前記共通測定結果を前記無線ネットワークコントローラに通知するステップ；を含む、
請求項７又は８に記載の方法。
【請求項１０】
前記共通測定初期化要求は：第１の事前に設定された閾値であって、リソース切り替えの前記統計的な情報に含まれる前記数が前記第１の事前に設定された閾値よりも大きい場合に、前記共通測定結果を前記無線ネットワークコントローラに通知することを指示するために使用される、第１の事前に設定された閾値、を含む、
請求項９に記載の方法。
【請求項１１】
前記第１のリソースプールの前記許可されたリソースの前記統計的な情報は：第１の事前に定められた時間内において、上りリンクの送信を行うために前記第１の送信時間間隔を使用するユーザ装置に許可されたリソースの数を含み；かつ
前記第１のリソースプールの前記拒否されたリソースの前記統計的な情報は：第２の事前に定められた時間内において、前記基地局により検出されたが、前記第１のリソースプールの共通Ｅ−ＤＣＨリソースの割り当てを拒否されたランダムアクセスチャネルプリアンブルの前記数を含む、
請求項８に記載の方法。
【請求項１２】
無線ネットワークコントローラであって：
上りリンクの共通拡張専用トランスポートチャネルＥ−ＤＣＨリソースプールの構成情報を基地局に送信するように構成される送信部であって、上りリンクの共通Ｅ−ＤＣＨリソースプールの前記構成情報は、第１の送信時間間隔に対応する第１のリソースプールの情報及び第２の送信時間間隔に対応する第２のリソースプールの情報を含む、送信部；
前記リソースプールの使用に従って前記基地局が送信する指示情報を受信するように構成される受信部；及び
前記指示情報に従って、前記第１のリソースプールの構成を調整するように構成される調整プロセッサ；
を備え、
前記指示情報は、前記リソースプールの使用であって、前記第１のリソースプールの前記構成の調整モードを決定するために使用される、前記リソースプールの使用を含み、かつ前記リソースプールの前記使用は、前記第１のリソースプールと前記第２のリソースプールとの間のリソース切り替えの統計的な情報統計的な情報を含み；
前記第１のリソースプールと前記第２のリソースプールとの間のリソース切り替えの前記統計的な情報は：事前に定められた時間内において、ランダムアクセスを実行し、かつ上りリンクの送信を行うために前記第１の送信時間間隔を選択したが、上りリンクの送信を行うために前記第２の送信時間間隔を使用することを許可されたユーザ装置の数を含む、
無線ネットワークコントローラ。
【請求項１３】
前記リソースプールの前記使用は、さらに、以下の統計的な情報のうちの１つ以上を含む：前記第１のリソースプールの許可されたリソースの統計的な情報、及び前記第１のリソースプールの拒否されたリソースの統計的な情報；
請求項１２に記載の無線ネットワークコントローラ。
【請求項１４】
前記指示情報は共通測定結果であり；
前記送信部は、さらに、共通測定初期化要求を前記基地局に送信するように構成され；かつ前記共通測定初期化要求は前記共通測定結果を通知することを前記基地局に要求するために使用される、
請求項１２又は１３に記載の無線ネットワークコントローラ。
【請求項１５】
前記共通測定初期化要求は：第１の事前に設定された閾値であって、リソース切り替えの前記統計的な情報に含まれる前記数が前記第１の事前に設定された閾値よりも大きい場合に、前記共通測定結果を通知することを前記基地局に指示するために使用される、第１の事前に設定された閾値、を含む、
請求項１４に記載の無線ネットワークコントローラ。
【請求項１６】
前記調整プロセッサは、さらに、リソース切り替えの前記統計的な情報に含まれる前記数が第２の事前に設定された閾値よりも大きい場合に、前記第１のリソースプールの範囲を増やすように構成され、かつ
前記送信部は、さらに、前記第１のリソースプールの前記範囲を増やすために使用される再構成要求を前記基地局に送信するように構成される、
請求項１２から１５のいずれか１項に記載の無線ネットワークコントローラ。
【請求項１７】
前記第１のリソースプールの前記許可されたリソースの前記統計的な情報は：第１の事前に定められた時間内において、上りリンクの送信を行うために前記第１の送信時間間隔を使用するユーザ装置に前記基地局が許可するリソースの前記数を含み；かつ
前記第１のリソースプールの前記拒否されたリソースの前記統計的な情報は：第２の事前に定められた時間内において、前記基地局により検出されたが、前記第１のリソースプールの共通Ｅ−ＤＣＨリソースの割り当てを拒否されたランダムアクセスチャネルプリアンブルの前記数を含む、
請求項１３に記載のネットワークコントローラ。
【請求項１８】
基地局であって：
無線ネットワークコントローラにより送信される上りリンクの共通拡張専用トランスポートチャネルＥ−ＤＣＨリソースプールの構成情報を受信するように構成される受信部であって、上りリンクの共通Ｅ−ＤＣＨリソースプールの前記構成情報は、第１の送信時間間隔に対応する第１のリソースプールの情報及び第２の送信時間間隔に対応する第２のリソースプールの情報を含む、受信部；及び
前記リソースプールのリソースの使用に従って前記無線ネットワークコントローラに指示情報を送信するように構成される送信部であって、前記指示情報は前記第１のリソースプールの中のリソースの構成を調整するために前記無線ネットワークコントローラにより使用される、送信部；
を備え、
前記指示情報は、前記リソースプールの使用であって、前記第１のリソースプールの前記構成の調整モードを決定するために使用される、前記リソースプールの使用を含み、かつ前記リソースプールの前記使用は、前記第１のリソースプールと前記第２のリソースプールとの間のリソース切り替えの統計的な情報を含み；
前記第１のリソースプールと前記第２のリソースプールとの間のリソース切り替えの前記統計的な情報は：事前に定められた時間内において、ランダムアクセスを実行し、かつ上りリンクの送信を行うために前記第１の送信時間間隔を選択したが、上りリンクの送信を行うために前記第２の送信時間間隔を使用することを許可されたユーザ装置の数を含む、
基地局。
【請求項１９】
前記リソースプールの前記使用は、さらに、以下の統計的な情報のうちの１つ以上を含む：前記第１のリソースプールの許可されたリソースの統計的な情報、及び前記第１のリソースプールの拒否されたリソースの統計的な情報；
請求項１８に記載の基地局。
【請求項２０】
前記指示情報は共通測定結果であり、
前記受信部は、さらに、共通測定初期化要求を前記無線ネットワークコントローラから受信し、かつ前記共通測定初期化要求は前記共通測定結果の通知を要求するために使用され；前記送信部は、さらに、前記共通測定結果及び前記第１のリソースプール及び／又は前記第２のリソースプールの前記リソースの使用に従って、前記共通測定結果を前記無線ネットワークコントローラに通知する、
請求項１８又は１９に記載の基地局。
【請求項２１】
前記共通測定初期化要求は：第１の事前に設定された閾値であって、リソース切り替えの前記統計的な情報に含まれる前記数が前記第１の事前に設定された閾値よりも大きい場合に、前記共通測定結果を前記無線ネットワークコントローラに通知することを指示するために使用される、第１の事前に設定された閾値、を含む、
請求項２０に記載の基地局。
【請求項２２】
前記第１のリソースプールの前記許可されたリソースの前記統計的な情報は：第１の事前に定められた時間内において、上りリンクの送信を行うために前記第１の送信時間間隔を使用するユーザ装置に許可されたリソースの数を含み；かつ
前記第１のリソースプールの拒否されたリソースの前記統計的な情報は：第２の事前に定められた時間内において、前記基地局により検出されたが、前記第１のリソースプールの共通Ｅ−ＤＣＨリソースの割り当てを拒否されたランダムアクセスチャネルプリアンブルの前記数を含む、
請求項１９に記載の基地局。
【請求項２３】
前記上りリンクのＥ−ＤＣＨは前記ユーザ装置のアイドルモード又はフォワードアクセスチャネル状態における上りリンクの送信を行うために使用され；前記第１の送信時間間隔は２ｍｓの送信時間間隔を含み；かつ前記第２の送信時間間隔は１０ｍｓの送信時間間隔を含む、
請求項１８から２２のいずれか１項に記載の基地局。
【発明の詳細な説明】
【技術分野】
【０００１】
本出願は、通信の分野に関連し、そして特に、リソース構成を調整する方法、無線ネットワークコントローラ、及び基地局に関連する。
【背景技術】
【０００２】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）のユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）のＲ８バージョンにおいて、アイドル（休止）モード又はフォワードランダムアクセスチャネル（Ｃｅｌｌ  Ｆｏｒｗａｒｄ  Ａｃｃｅｓｓ  Ｃｈａｎｎｅｌ、ＣＥＬＬ＿ＦＡＣＨ）状態にあるユーザ装置（Ｕｓｅｒ  Ｅｑｕｉｐｍｅｎｔ、ＵＥ）について、上りリンクの遅延を減少するため及び上りリンクの伝送速度を改善するために、拡張ランダムアクセスチャネル（Ｒａｎｄｏｍ  Ａｃｃｅｓｓ  Ｃｈａｎｎｅｌ、ＲＡＣＨ）、つまり、上りリンクの伝送を実現するＲＡＣＨの代用となる拡張された専用トランスポートチャネル（Ｅｎｈａｎｃｅｄ  Ｄｅｄｉｃａｔｅｄ  Ｔｒａｎｓｐｏｒｔ  Ｃｈａｎｎｅｌ、Ｅ−ＤＣＨ）、が導入されている。
【０００３】
無線ネットワークコントローラ（Ｒａｄｉｏ  Ｎｅｔｗｏｒｋ  Ｃｏｎｔｒｏｌｌｅｒ、ＲＮＣ）は、基地局（ＮｏｄｅＢ）に関する、上りリンク伝送の共通拡張専用トランスポートチャネル（Ｃｏｍｍｏｎ  Ｅ−ＤＣＨ）リソースプールを構成してもよい。例えば、リソースプールは、リソースの３２のセットを有してもよく、ここで複数のリソースインデックス（ｉｎｄｅｘ）１から３２は、対応する複数のリソースを表すために使用される。基地局は、無線ネットワークコントローラにより構成される共通Ｅ−ＤＣＨリソースプールに従って、ユーザ装置に対して共通Ｅ−ＤＣＨリソースを割り当ててもよい。
【０００４】
無線ネットワークコントローラは、Ｉｕｂインターフェースにおいて、２つの情報要素（Ｉｎｆｏｒｍａｔｉｏｎ  Ｅｌｅｍｅｎｔ、ＩＥ）、許可された複数のＥ−ＤＣＨリソース（Ｇｒａｎｔｅｄ  Ｅ−ＤＣＨ  Ｒｅｓｏｕｒｃｅｓ）及び拒否された複数のＥ−ＤＣＨリソース（Ｄｅｎｉｅｄ  Ｅ−ＤＣＨ  Ｒｅｓｏｕｒｃｅｓ）を構成する。許可された複数のＥ−ＤＣＨリソースは、一定期間内に基地局のセル内でユーザ装置により許可されたＥ−ＤＣＨリソースの数の統計を収集するために使用される。拒否された複数のＥ−ＤＣＨリソースは、基地局で検出されたが、事前に定められた期間内においてＥ−ＤＣＨリソースの割り当てを拒否されたＲＡＣＨプリアンブル（ｐｒｅａｍｂｌｅ）の数の統計を収集するために用いられる。基地局は、周期的レポート、イベントトリガ（ｅｖｅｎｔ  ｔｒｉｇｇｅｒｅｄ）レポート、オンデマンド（ｏｎ  ｄｅｍａｎｄ）レポート等の、無線ネットワークコントローラによって設定されたモードにおいて、許可されたＥ−ＤＣＨリソースの数及び拒否されたＥ−ＤＣＨリソースの数についての統計的な複数の値を無線ネットワークコントローラに通知することができる。無線ネットワークコントローラは、２つの統計的な値に従って、セルに関して構成される複数の共通Ｅ−ＤＣＨリソースの数を調整する。
【０００５】
３ＧＰＰ  ＵＭＴＳ  Ｒ１１バージョンは、２ｍｓの伝送時間間隔（Ｔｒａｎｓｍｉｓｓｉｏｎ  Ｔｉｍｅ  Ｉｎｔｅｒｖａｌ、ＴＴＩ）及び１０ｍｓのＴＴＩが共存するという特徴、すなわち、各セルが２つＴＴＩの長さを伴って構成される、という特徴を導入する。同一のセルにおいて、上りリンクの伝送を行う場合、拡張されたＲＡＣＨをサポートするユーザ装置は、上りリンクの伝送を行うために、２つのＴＴＩの長さのうちのどちらも、動的に選択することができる。この場合、ユーザ装置は、上りリンクの伝送を行うために、１０ｍｓのＴＴＩに対応する共通Ｅ−ＤＣＨリソース又は２ｍｓのＴＴＩに対応する共通Ｅ−ＤＣＨリソースを選択することができる。上りリンクの伝送を行うための異なるＴＴＩを選択するセルの中の複数のユーザ装置は動的に変化するので、複数のＴＴＩが共存する場合におけるリソースプールの範囲（又はサイズ）をどのように動的に調整するかは、緊急の解決すべき課題である。
【発明の概要】
【発明が解決しようとする課題】
【０００６】
本出願は、複数のＴＴＩが共存する場合において、リソースプールの範囲を動的に調整することの可能な、リソース構成を調整するための方法、無線ネットワークコントローラ、及び基地局を提供する。
【課題を解決するための手段】
【０００７】
一態様において、リソース構成を調整するための方法が提供される。前記方法は、上りリンクの共通拡張専用トランスポートチャネルＥ−ＤＣＨリソースプールの構成情報を基地局に送信するステップであって、上りリンクの共通Ｅ−ＤＣＨリソースプールの前記構成情報は、第１の送信時間間隔が対応する第１のリソースプールの情報及び第２の送信時間間隔が対応する第２のリソースプールの情報を含む、送信するステップ；前記リソースプールの使用に従って前記基地局が送信する指示情報を受信するステップ；及び前記指示情報に従って、前記第１のリソースプールの構成を調整するステップ；を含む。
【０００８】
他の態様において、リソース構成を調整するための方法が提供される。前記方法は、無線ネットワークコントローラにより送信される上り共通拡張専用トランスポートチャンネルＥ−ＤＣＨリソースプールの構成情報を受信するステップであって、上りリンク共通Ｅ−ＤＣＨリソースプールの前記構成情報は、第１の送信時間間隔に対応する第１のリソースプールの情報及び第２の送信時間間隔に対応する第２のリソースプールの情報を含む、受信するステップ；及び前記リソースプールのリソースの使用に従って、支持情報を前記無線ネットワークコントローラに送信するステップであって、前記指示情報は、前記第１のリソースプールの構成を調整するために前記無線ネットワークコントローラにより使用される、送信するステップ；を含む。
【０００９】
さらに他の態様において、無線ネットワークコントローラが提供される。前記無線ネットワークコントローラは：上りリンクの共通拡張専用トランスポートチャンネルＥ−ＤＣＨリソースプールの構成情報を基地局に送信するように構成される送信部であって、上りリンクの共通Ｅ−ＤＣＨリソースプールの前記構成情報は、第１の送信時間間隔に対応する第１のリソースプールの情報及び第２の送信時間間隔に対応する第２のリソースプールの情報を含む、送信部；前記基地局が前記リソースプールの使用に従って送信する指示情報を受信するように構成される受信部；及び前記指示情報に従って、前記第１のリソースプールの構成を調整するように構成される調整プロセッサ；を備える。
【００１０】
さらに他の態様において、基地局が提供される。前記基地局は：無線ネットワークコントローラにより送信される、上りリンクの共通拡張専用トランスポートチャネルＥ−ＤＣＨリソースプールの構成情報を受信するように構成される受信部であって、上りリンクの共通Ｅ−ＤＣＨリソースプールは、第１の送信時間間隔に対応する第１のリソースプールの情報及び第２の送信時間間隔に対応する第２のリソースプールの情報を含む、受信部；及び前記リソースプールのリソースの使用に従って前記無線ネットワークコントローラに指示情報を送信するように構成される指示部であって、前記指示情報は前記第１のリソースプールのリソースの構成を調整するために前記無線ネットワークコントローラにより使用される、送信部；を備える。
【００１１】
本出願の複数の実施例において、前記指示情報に従ってリソースプールのリソースの構成を調整するために、無線ネットワークコントローラは、複数の異なる送信時間間隔に対応する前記複数のリソースプールの前記リソースの使用に従って、前記基地局が送信する前記指示情報を受信する。これにより、複数の送信時間間隔が共存する場合において、前記リソースプールの範囲は、動的に調整され得る。
【図面の簡単な説明】
【００１２】
本出願の複数の実施例における複数の技術的解決手段をより明確に説明するために、以下簡単に複数の実施例又は従来技術を説明するために必要な複数の添付図面を説明する。明らかに、添付の複数の図面は、本出願の諸実施例を示すのみであり、かつ当業者は、これらの添付図面から創造的努力なしで、他の複数の図面を導き出すことができる。
【００１３】
【図１】本出願の実施例に従う、リソース構成を調整するための方法の概略フローチャートである。
【００１４】
【図２】本出願の他の実施例に従う、リソース構成を調整するための方法の概略フローチャートである。
【００１５】
【図３】本出願の実施例に従う、リソース構成を調整する処理の概略フローチャートである。
【００１６】
【図４】本出願の他の実施例に従う、リソース構成を調整する処理の概略フローチャートである。
【００１７】
【図５】本出願のさらに他の実施例に従うリソース構成を調整する処理の概略フローチャートである。
【００１８】
【図６】本出願の実施例に従う、無線ネットワークコントローラの概略構成図である。
【００１９】
【図７】本発明の他の実施例に従う、無線ネットワークコントローラの概略構成図である。
【発明を実施するための形態】
【００２０】
以下おいて、本出願の複数の実施例における複数の添付図面を参照して、本出願の複数の実施例における複数の技術的解決手段を明確に説明する。明らかに、説明される複数の実施例は、本出願の複数の実施例の全てではなく、その一部である。本出願の複数の実施例に基づき、創造的な努力をすることなく当業者により取得される全ての他の複数の実施例は、本出願の保護範囲に属さなければならない。
【００２１】
本出願の複数の技術的解決手段は、例えば、ＧＳＭ（登録商標）（汎欧州デジタル移動電話方式、Ｇｌｏｂａｌ  Ｓｙｓｔｅｍ  ｏｆ  Ｍｏｂｉｌｅ  Ｃｏｍｍｕｎｉｃａｔｉｏｎ）システム、ＣＤＭＡ（符号分割多重アクセス、Ｃｏｄｅ  Ｄｉｖｉｓｉｏｎ  Ｍｕｌｔｉｐｌｅ  Ａｃｃｅｓｓ）システム、ＷＣＤＭＡ（登録商標）（広帯域符号分割多重アクセス、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（汎用パケット無線サービス、Ｇｅｎｅｒａｌ  Ｐａｃｋｅｔ  Ｒａｄｉｏ  Ｓｅｒｖｉｃｅ）システム、ＬＴＥ（ロングタームエボルーション、Ｌｏｎｇ  Ｔｅｒｍ  Ｅｖｏｌｕｔｉｏｎ）システム、ＬＴＥ−Ａ（アドバンストロングタームエボルーション、Ａｄｖａｎｃｅｄ  Ｌｏｎｇ  Ｔｅｒｍ  Ｅｖｏｌｕｔｉｏｎ）システム、ＵＭＴＳ（ユニバーサル移動通信システム、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等の、各種通信システムに対して適用されてもよく、本出願の複数の実施例には限定されないが、しかしながら、説明の便宜上、本出願の複数の実施例は、ＷＣＤＭＡシステムを例として用いることにより説明される、ということが理解されるべきである。
【００２２】
本出願の複数の実施例は、異なる複数の規格の複数の無線ネットワークにおいて使用されてもよい。無線アクセスネットワークは、異なる複数のシステムにおける異なる複数のネットワーク要素を含んでもよい。例えば、ＬＴＥ又はＬＴＥ−Ａの無線アクセスネットワークの複数のネットワーク要素は、ｅＮＢ（ｅＮｏｄｅＢ、拡張基地局）を含み、かつＷＣＤＭＡにおける無線アクセスネットワークの複数のネットワーク要素は、ＲＮＣ（Ｒａｄｉｏ  Ｎｅｔｗｏｒｋ  Ｃｏｎｔｒｏｌｌｅｒ、無線ネットワークコントローラ）及びノードＢを含む。同様に、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ワールドワイド・インターオペラビリティ・フォー・マイクロウェーブ・アクセス）等の他の複数の無線ネットワークもまた、基地局システムにおける関連する複数のモジュールが異なっているかもしれないということを除いて、本出願の複数の実施例と同様な複数の解決手段を用いることが可能であり、それらは本出願の複数の実施例内に限定されず；しかしながら、説明の便宜上、以下の複数の実施例は、ＮｏｄｅＢを例として用いることにより説明される。
【００２３】
本出願の複数の実施例において、ユーザ装置（ＵＥ、Ｕｓｅｒ  Ｅｑｕｉｐｍｅｎｔ）は、それには限定されないが、移動局（ＭＳ、Ｍｏｂｉｌｅ  Ｓｔａｔｉｏｎ）、携帯端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、及び携帯装置（ｐｏｒｔａｂｌｅ  ｅｑｕｉｐｍｅｎｔ）を含み；ユーザ装置は、無線アクセスネットワーク（ＲＡＮ、Ｒａｄｉｏ  Ａｃｃｅｓｓ  Ｎｅｔｗｏｒｋ）を介して、１つ以上のコアネットワークと通信することができる、ということがさらに理解されるべきである。例えば、ユーザ装置は、携帯電話（セルラー電話とも呼ばれる）、無線通信機能を持つコンピュータ等であってもよく；ユーザ装置は、また、ポータブル、ポケット、ハンドヘルドモバイルデバイス、又はコンピュータに内蔵された又は車両に搭載された携帯装置であってもよい。
【００２４】
また、本文書における「システム」及び「ネットワーク」という用語は、本文書における使用において、多くの場合、交換可能である。本文書における用語「及び／又は」は、関連付けられた複数の対象の単なる対応関係であり、かつ３つの関係が存在してもよいことを表す。例えば、Ａ及び／又はＢは：Ａだけが存在する、Ａ及びＢが存在する、及びＢだけが存在する、という３つの場合を表してもよい。また、本文書における記号「／」は、通常、当該シンボルの前及び後の関連付けられた対象が、「又は」の関係にあることを示す。
【００２５】
Ｒ１１バージョンにおいて、２ｍｓのＴＴＩと１０ｍｓのＴＴＩとが共存する場合において、無線ネットワークコントローラは、報知メッセージの中のＥ−ＤＣＨリソースインデックスを構成することにより、共通Ｅ−ＤＣＨ一般リソースプールを２つの部分：部分１及び部分２、に分割してもよく、これにより２ｍｓＴＴＩを選択したユーザ装置は、サブリソースプールと呼ばれる部分１又は部分２のリソースプールを使用することが可能となる。部分１は、リソースインデックス０から開始され、無線ネットワークコントローラにより構成されるＥ−ＤＣＨリソースインデックスまでの、全てのリソースであってもよく、そしてまた、リソースインデックス１から開始され、無線ネットワークコントローラにより構成されるＥ−ＤＣＨリソースインデックスの以前のリソースインデックスまでの全てのリソースであってもよい。部分２は、無線ネットワークコントローラにより構成されたＥ−ＤＣＨリソースインデックスに１を加えたものに対応する共通Ｅ−ＤＣＨリソースインデックスから最後の共通Ｅ−ＤＣＨリソースインデックスまでの全てのリソースであってもよく、そしてまた、無線ネットワークコントローラにより構成されたＥ−ＤＣＨリソースインデックスから共通Ｅ−ＤＣＨリソースプールの最後の共通Ｅ−ＤＣＨリソースインデックスまでの全てのリソースであってもよい。１０ｍｓのＴＴＩを選択したユーザ装置により使用されるリソースは、Ｒ８バージョンにおけるユーザ装置に関して構成される共通Ｅ−ＤＣＨリソースと同じであってもよく、かつ一般リソースプールと呼ばれる（また、部分１は、２ｍｓのＴＴＩに対応するサブリソースプールを使用することができる）。基地局が、２ｍｓＴＴＩに対応するサブリソースプールが不十分であるといった理由のため、上りリンクの送信を行うために、ユーザ装置に１０ｍｓのＴＴＩを使用させたい場合、基地局は、２ｍｓではないＴＴＩのリソースプールからのリソースのインデックスを選択してもよく、かつ取得指示チャネル（Ａｃｑｕｉｓｉｔｉｏｎ  Ｉｎｄｉｃａｔｉｏｎ  Ｃｈａｎｎｅｌ、ＡＩＣＨ）を使用してユーザ装置にリソースを割り当てる場合に、当該インデックスをユーザ装置に送信してもよい。例えば、２ｍｓのＴＴＩに対応するサブリソースプールが部分１であり；基地局は部分２からのインデックスを選択し、かつユーザ装置にインデックスを送信し；インデックスを受信した後、ユーザ装置は、上りリンクの送信を行うために、それが１０ｍｓのＴＴＩを使用することを基地局装置が要求していることを知ることが可能であり；従って、その後の上りリンクの送信プロセスにおいて、ユーザ装置は、データを送信するために１０ｍｓのＴＴＩを使用する、ということが仮定される。
【００２６】
さらに、Ｒ１１バージョンにおいて、２ｍｓのＴＴＩ及び１０ｍｓのＴＴＩが共存するという特徴が導入された後、既存の１６のシグネチャ（Ｓｉｇｎａｔｕｒｅ）は、３つの部分、すなわち、Ｒ９９バージョンにおけるＲＡＣＨアクセスにより使用される複数のシグネチャ、Ｒ８バージョンの１０ｍｓのＴＴＩにおける拡張されたＲＡＣＨアクセス及びＲ１１バージョンの１０ｍｓのＴＴＩにおける拡張されたＲＡＣＨアクセスにより使用される複数のシグネチャ、及びＲ１１バージョンの２ｍｓのＴＴＩにおける拡張されたＲＡＣＨアクセスにより使用される複数のシグネチャ、に分割されてもよい。無線ネットワークコントローラ側における複数のリソース及びシグネチャは、マッピング関係を有する。基地局がユーザ装置からシグネチャを含むランダムアクセスプリアンブルを受信する場合、基地局は、当該シグネチャに従って、ユーザ装置が上りリンクの送信のための１０ｍｓのＴＴＩを選択したか、又は上りリンクの送信を行うための２ｍｓのＴＴＩを選択したかを知ることができる。
【００２７】
Ｒ１１バージョンにおける、２ｍｓのＴＴＩのリソースプールと１０ｍｓのＴＴＩのリソースプールに分割するための方法、及び現状のＲ８バージョンにおいて、ノードＢが拡張されたＲＡＣＨの統計的な情報を無線ネットワークコントローラに送信することに基づくと、無線ネットワークコントローラは、サブリソースプールの範囲を調整することはできない。本出願は、無線ネットワークコントローラがリソースプールの範囲又は比率を調整することができないという問題を解決するために、２ｍｓのＴＴＩに対応するサブリソースプールの使用に従って、無線ネットワークコントローラに２ｍｓに対応するサブリソースプールを調整させることを指示するための新しい解決手段を提供する。
【００２８】
図１は、本出願の実施例に従う、リソース構成を調整するための方法の概略フローチャートである。図１の実施例は、無線ネットワークコントローラにより実行される。
【００２９】
１１０：上りリンクのＥ−ＤＣＨリソースプールの構成情報を基地局に送信する。ここで、上りリンクの共通Ｅ−ＤＣＨリソースプールは、第１の送信送信時間間隔に対応する第１のリソースプールの情報及び第２の送信時間間隔に対応する第２のリソースプールの情報を含む。
【００３０】
例えば、上りリンクの共通Ｅ−ＤＣＨリソースプールの構成情報は、第１の送信時間間隔（例えば、２ｍｓのＴＴＩ）に対応する第１のリソースプールに関して構成され得る複数の共通Ｅ−ＤＣＨリソースを示すため（例えば、リソースインデックスにより示されてもよい）、及び／又は第２の送信時間間隔（例えば、１０ｍｓのＴＴＩ）に対応する第２のリソースプールに関して構成され得る共通Ｅ−ＤＣＨリソースを示すために使用され、ここで、第１のリソースプール（サブリソースプールとも呼ばれる）は、第２のリソースプール（一般リソースプールとも呼ばれる）のサブセットであってもよく、それは、第１のリソースプールの中のリソースは、第１の送信時間間隔の間に使用されてもよく、かつ第２の送信時間間隔の間においても使用されてよい、ということを意味する。
【００３１】
無線ネットワークコントローラから第１のリソースプール及び第２のリソースプールの構成情報を取得した後、現在のセルの中のユーザ装置が拡張されたＲＡＣＨアクセスを実行する場合に、基地局は、当該構成情報に従って、上りリンクの送信のための共通Ｅ−ＤＣＨリソースをユーザ装置に割り当ててもよい。例えば、上りリンクの送信を行うための第１の送信時間間隔を選択するために、ユーザ装置は、第１の送信時間間隔に対応するシグネチャを送信する拡張されたＲＡＣＨプリアンブルを基地局に送信してもよい。拡張されたＲＡＣＨプリアンブルを受信した後、基地局は、第１の送信時間間隔に対応する第１のリソースプールから共通Ｅ−ＤＣＨリソースを選択してもよく、かつ当該共通Ｅ−ＤＣＨリソースをユーザ装置に割り当ててもよく、つまり、ユーザ装置が上りリンクの送信を行うために第１の送信時間間隔を使用することを許可してもよく、かつＡＩＣＨチャネルを使用することにより、上りリンクの送信を行うために第１の送信時間間隔に対応する共通Ｅ−ＤＣＨリソースを使用してもよい、ということをユーザ装置に通知してもよく；或いは、基地局は、必要に応じて（例えば、第１の送信時間間隔に対応する全ての共通Ｅ−ＤＣＨのリソースが占有されている等）、ユーザ装置が上りリンクの送信を実行するために第２の送信時間間隔を使用することを許可してもよく、つまり、第１の送信時間間隔は、第２の送信時間間隔に変更され（取り換えられる、切り替えられる）、かつ基地局は、ＡＩＣＨチャネルを使用することにより、第２の送信時間間隔に対応する共通Ｅ−ＤＣＨリソースを上りリンクの送信を行うために使用してもよいということをユーザ装置に通知する。確かに、基地局は、ユーザ装置のランダムアクセスリクエストを拒否してもよい、すなわち、ユーザ装置に対していかなる共通Ｅ−ＤＣＨリソースも割り当てない場合がある。
【００３２】
１２０：リソースプールの使用に従って、基地局が送信した指示情報を受信する。
【００３３】
リソースプールの使用は、第１のリソースプールの使用及び／又は第２のリソースプールの使用を含む、つまり、上りリンクの送信を行うために第１の送信時間間隔又は第２の送信時間間隔を選択する場合、ユーザ装置は許可される、又は拒否される、又は切り替えられる。ユーザ装置のランダムアクセスプロセスにおいて、基地局により、リソースプールの使用についての統計が収集されてもよい。基地局は、指示情報により、収集されたリソースプールの使用を無線ネットワークコントローラに通知してもよい。選択的に、基地局は、収集されたリソースプールの使用に従って、リソースプールの構成のための調整モードを決定してもよく、そして無線ネットワークコントローラに送信するために、当該調整モードが指示情報に含まれることを可能としてもよい。
【００３４】
１３０：指示情報に従って、第１のリソースプールの構成を調整する。
【００３５】
指示情報を受信した後、無線ネットワークコントローラは、当該指示情報に従って、リソースプールの構成を調整してもよい。例えば、指示情報がリソースプールの使用を含む場合、無線ネットワークコントローラは、リソースプールの構成のための調整モードを当該リソースプールの使用に従って決定してもよく、かつ当該調整モードに従って、リソースプールの構成を調整してもよい。他の例において、指示情報がリソースプールの構成のための調整モードを含む場合、無線ネットワークコントローラは、直接、調整モードに従って、リソースプールの構成についての調整を行ってもよい。
【００３６】
調整は、リソースプールの範囲の増加又は減少を含んでもよい、ということが理解されるべきである。本出願の複数の実施例における第１の送信時間間隔及び第２の送信時間間隔は、説明の便宜上だけのものであり、かつ本出願に従う複数の実施例は２種類の送信時間間隔に限定されず、２ｍｓのＴＴＩ及び１０ｍｓのＴＴＩ以外に、５ｍｓのＴＴＩ、２０ｍｓのＴＴＩ等がさらに含まれてもよい、ということがさらに理解されるべきである。
【００３７】
本出願の実施例において、指示情報に従ってリソースプールのリソースの構成を調整するために、無線ネットワークコントローラは、異なる複数の送信時間間隔に対応する複数のリソースプールのリソースの使用に従って基地局が送信する指示情報を受信してもよく、これにより、複数の送信時間間隔が共存する場合に、リソースプールの範囲が動的に調整されてもよい。
【００３８】
本出願の実施例によると、指示情報は、第１のリソースプールに関する調整モードを決定するために用いられるリソースプールの使用を含み、ここで、リソースプールの使用は、以下の統計的な情報のうちの１つ以上を含む：第１のリソースプールの許可されたリソースの統計的な情報、第１のリソースプールと第２のリソースプールとの間のリソースの切替えの統計的な情報、及び第１のリソースプールの否定されたリソースの統計的な情報。
【００３９】
例えば、リソースプールの使用は、ユーザ装置が拡張されたＲＡＣＨアクセスを実行する場合の、所定の時間内（例えば、２０ｍｓ又は１フレーム）の第１のリソースプールの中のリソースの使用の統計的な情報であってもよく、例えば、第１のリソースプールの中の許可されたリソースの統計的な情報は、ユーザ装置に対して許可された第１のリソースプールの中の複数のリソースの数を含んでもよく、第１のリソースプールと第２のリソースプールとの間のリソースの切替えの統計的な情報は、上りリンクの送信を行うための、第１の送信時間間隔を選択したが、上りリンクの送信を行うための第２の送信時間間隔を使用することを許可された（つまり、上りリンクの送信を行うために第１のリソースプールの中のリソースの使用を希望し、かつ上りリンクの送信を行うために第２のリソースプールの中のリソースの使用を許可された等の）複数のユーザ装置の数を含んでもよく、そして、第１のリソースプールの拒否されたリソースの統計的な情報は、上りリンクの送信を行うために第１の送信時間間隔を選択したが、否定された（つまり、上りリンクの送信を行うために、第１の送信時間間隔を使用することを希望したが、否定された）複数のユーザ装置の数を含んでもよい。
【００４０】
本出願の実施例によると、指示情報は共通測定結果であり、ここで、リソース切り替えの統計的な情報は：所定の時間内に、ランダムアクセスを実行し、かつ上りリンクの送信を行うために第１の送信時間間隔を選択したが、上りリンクの送信を行うために第２の送信時間間隔を使用することを許可されたユーザ装置の数を含み、ここで、当該方法はさらに：共通測定初期化要求を基地局に送信するステップを含み、ここで共通測定初期化要求は、共通測定結果を通知することを基地局に要求するために用いられる。
【００４１】
本出願の実施例によると、共通測定初期化要求は：リソース切り替えの統計的な情報の中に含まれるリソース切り替えの数が第１の事前に設定された閾値よりも大きい場合に、共通測定結果を送信するように基地局に指示するために用いられる、第１の事前に設定された閾値、を含む。
【００４２】
１３０において、リソース切り替えの統計的な情報に含まれる数が第２の事前に設定された閾値よりも大きい場合、第１のリソースプールの範囲は増加され；ここで方法はさらに：第１のリソースプールの範囲を増加するために用いられる再構成要求を基地局に送信するステップを含む。
【００４３】
例えば、第２の事前に設定された閾値は、リソース切り替えの統計的な情報に含まれる数が、第１のリソースプールの範囲を増加する必要がある程大きいことを示すために用いられ；例えば、第２の事前に設定された閾値は、第１のリソースプールの中の複数のリソースの数の割合である１０％に設定されてもよい。
【００４４】
本発明の実施例によると、第１のリソースプールの許可されたリソースの統計的な情報は：事前に定められた時間内に、上りリンクの送信を行うために第１の送信時間間隔を使用するユーザ装置に対して基地局が許可した複数のリソースの数を含み；第１のリソースプールの否定されたリソースの統計的な情報は：事前に定められた時間内に基地局において検出されたが、第１のリソースプールの共通Ｅ−ＤＣＨリソースの割り当てを拒否されたランダムアクセスチャネルプリアンブルの数を含む。
【００４５】
選択的に、他の実施例として、第１のリソースプールの許可されたリソースの統計的な情報に含まれる数が第３の事前に設定された閾値よりも大きい場合又はユーザ装置の位置するセルに対して構成された第１のリソースプールの複数のリソースの総数に達した場合において、第１のリソースプールの範囲は増加されてもよく、かつ第１のリソースプールの範囲を増加するために用いられる再構成要求は、さらに、基地局に送信されてもよい。
【００４６】
この場合において、第１のリソースプールのほとんどの又は全てのリソースが使用されているため、第１のリソースプールの中の複数のリソースの数を増加する必要がある。例えば、第３の事前に定められた閾値の数は、第１のリソースプールの許可されたリソースの統計的な情報の中に含まれる数が第１のリソースプールの範囲を増加する必要がある程大きいことを示すために用いられる。例えば、第３の事前に設定された閾値は、第１のリソースプールの中のリソースの総数の割合が９０％より大きくなるように設定されてもよい。
【００４７】
選択的に、他の実施例として、リソースの切り替えの統計的な情報の中に含まれる数がゼロよりも大きい場合、第１のリソースプールの範囲を増加してもよく、かつ第１のリソースプールの範囲を増加するために用いられる再構成要求がさらに基地局に送信されてもよい。
【００４８】
リソース切り替えの統計的な情報に含まれる数がゼロよりも大きい場合、第１のリソースプールの複数のリソースは十分ではないかもしれないことがさらに示されてもよく、そして従って、第１のリソースプールの中の複数のリソースの数が増やされてもよい。
【００４９】
選択的に、他の実施例として、リソース切り替えの統計的な情報の中に含まれる数がゼロより大きく、かつ第１のリソースプールの許可されたリソースの統計的な情報に含まれる数がセルに対して構成された第１のリソースプールの中の複数のリソースの総数に達した場合、第１のリソースプールの範囲は増加されてもよく、かつ第１のリソースプールの範囲を増加するために用いられる再構成要求がさらに基地局に送信されてもよい。
【００５０】
リソース切り替えの統計的な情報の中に含まれる数がゼロよりも大きく、かつ第１のリソースプールの許可されたリソースの統計的な情報に含まれる数がセルに対して構成された第１のリソースプールの中の複数のリソースの総数に達したことは、第１のリソースプールの中の複数のリソースが不十分であることを示すので、第１のリソースプールの中の複数のリソースの数を増加する必要がある。
【００５１】
選択的に、他の実施例として、第１のリソースプールの拒否されたリソースの統計的な情報が第１の事前に定められた閾値よりも大きい場合、第１のリソースプールの範囲を増加することが必要である可能性があり、かつ第１のリソースの範囲の、範囲を増加するために用いられる再構成要求がさらに基地局に送信されてもよい。
【００５２】
選択的に、他の実施例として、指示情報はさらに、拒否されたリソースの統計的な情報を含み、ここで拒否されたリソースの統計的な情報は：基地局において検出されたが、事前に定められた時間内に共通Ｅ−ＣＤＨリソースを割り当てられることが拒否された、複数のランダムアクセスプリアンブルの数を含み、指示情報はさらに、第２のリソースプールの構成を調整することを指示するために用いられ、ここで、図１における方法はさらに：否定されたリソースの統計情報の中に含まれる数が第５番目の事前に定められた閾値よりも大きい場合に、第２のリソースプールの範囲を増加すること、及び第２のリソースプールの範囲を増加するために用いられる再構成要求を基地局に送信することを含む。
【００５３】
例えば、第５番目の事前に設定された閾値は、否定されたリソースの統計的な情報の中に含まれる数が、第２のリソースプールの中の複数のリソースの数を増加する必要がある程大きいことを示し；例えば、第５の事前に設定された閾値は、第２のリソースプールの中の複数のリソースの総数の割合が１０％よりも大きくなるように設定されてもよい。
【００５４】
選択的に、他の実施例として、指示情報は：第１のリソースプールの構成に対する調整モードを指示するために用いられる、リソースプールの調整指示情報を含む。無線ネットワークコントローラは、第１のリソースプールの構成を、調整指示情報に従って、直接調整してもよい。
【００５５】
本出願の実施例によると、リソースプールの調整指示情報は：基地局により必要とされる第１のリソースプールの中の複数のリソースの数及び基地局により必要とされる第２のリソースプールの中の複数のリソースの数を含む。
【００５６】
選択的に、他の実施例として、リソースプールの調整指示情報は：基地局により必要とされる第１のリソースプールの中の複数のリソースの数、及び基地局により必要とされる第１のリソースプールの中の複数のリソースの数と、基地局により必要とされる第２のリソースプールの中の複数のリソースの数との間の比例関係を含む。
【００５７】
選択的に、他の実施例として、リソースプールの調整指示情報は：基地局により必要とされる第２のリソースプールの中の複数のリソースの数、及び基地局により必要とされる第１のリソースプールの中の複数のリソースの数と、基地局により必要とされる第２のリソースプールの中の複数のリソース数との間の比例関係を含む。
【００５８】
選択的に、他の実施例として、リソースプールの調整指示情報は：リソースのインデックスを含む。
【００５９】
本出願の複数の実施例によると、調整指示情報に含まれる前述のリソースのインデックスは、第１のリソースプールの範囲を表すために使用されてもよい。例えば、第２のリソースプールは、３２個のリソースの複数のインデックスを含み；調整指示情報が値１５を含む場合、それは、インデックスが０から１５である複数のリソースを第１のリソースプールが含むことを示す。
【００６０】
選択的に、他の実施例として、リソースプールの調整指示情報は：基地局により必要とされる第１のリソースプールの中の複数のリソースの数の増加量を含む。
【００６１】
例えば、第１のリソースプールの複数のリソースの現在の数が１６であり、かつ調整指示情報の中で送信される増加量が４である場合、それは、基地局により必要とされる第１のリソースプールの複数のリソースの数が２０であることを示す。
【００６２】
選択的に、他の実施例として、指示情報はさらに：シグネチャの構成に対する調整モードを指示するために用いられるシグネチャの調整指示情報を含み、ここで、方法は、さらに：シグネチャの調整指示情報に従って、上りリンクの送信を行うために第１の送信時間間隔を使用するユーザ装置により使用されるシグネチャの範囲を調整することを含む。
【００６３】
基地局は、例えば、第１のリソースプールに対して５つのシグネチャを割り当て、かつ第２のリソースプールに対して８つのシグネチャを構成するために、シグネチャの調整指示情報にしたがって、無線ネットワークコントローラに、異なる複数のリソースプールに対して、異なる数のシグネチャを構成するように指示してもよい。
【００６４】
選択的に、他の実施例として、上りリンクの送信を行うために第１の送信時間間隔を使用するユーザ装置により使用される複数のシグネチャの範囲は、第１のリソースプールの構成に対する調整に従って調整される。
【００６５】
例えば、第１のリソースプールの中の複数のリソースの数が増加した場合、それに応じて、シグネチャの数が増加してもよい。
【００６６】
選択的に、他の実施例として、第１のリソースプールの構成が調整された後、ユーザ装置は、基地局に対して構成された第１のリソースプールの情報を再読み込みするように指示される。
【００６７】
本出願の複数の実施例によると、上りリンクの共通Ｅ−ＤＣＨは、ユーザ装置がアイドルモード又はフォワードアクセスチャネル状態にある場合に、上りリンクの送信を行うために用いられ；第１の送信時間間隔は２ｍｓの送信時間間隔を含み、かつ第２の送信時間間隔は１０ｍｓの送信時間間隔を含む。
【００６８】
図２は、本出願の他の実施例に従う、リソース構成を調整するための方法の概略フローチャートである。図２における実施例は、基地局により実行され、かつ図１の方法に対応する。
【００６９】
２１０：無線ネットワークコントローラにより送信される上りリンクの共通拡張専用トランスポートチャネルＥ−ＤＣＨリソースプールの構成情報を受信する。ここで、上りリンクの共通Ｅ−ＤＣＨリソースプールの構成情報は、第１の送信時間間隔に対応する第１のリソースプールの情報及び第２の送信時間間隔に対応する第２のリソースプールの情報を含む。
【００７０】
２２０：リソースプールのリソースの使用に従って、無線ネットワークコントローラに指示情報を送信する。指示情報は、第１のリソースプールの中のリソースの構成を調整するために、無線ネットワークコントローラにより使用される。
【００７１】
本出願の実施例において、基地局は、異なる複数の送信時間間隔に対応する複数のリソースプールのリソースの使用に従って、指示情報を無線ネットワークコントローラに送信してもよい。これにより、無線ネットワークコントローラは、リソースプールのリソースの構成を調整することができ、かつ複数のＴＴＩが共存する場合において、リソースプールの範囲は、動的に調整され得る。
【００７２】
本出願の実施例によると、指示情報は、無線ネットワークコントローラに、リソースプールの使用に従う第１のリソースプールの構成のための調整モードを決定するように指示するために使用される、リソースプールの使用を含む。ここで、リソースプールの使用は、以下の統計的な情報のうちの１つ以上を含む：第１のリソースプールの許可されたリソースの統計的な情報、第１のリソースプールと第２のリソースプールとの間のリソース切り替えの統計的な情報、及び第１のリソースプールの拒否されたリソースの統計的な情報。
【００７３】
本出願の実施例によると、指示情報は共通測定結果であり；リソース切り替えの統計的な情報は：事前に定められた時間内において、ランダムアクセスを実行し、かつ上りリンクの送信を行うために第１の送信時間間隔を選択したが、上りリンクの送信を行うために第２の送信時間間隔を使用することを許可されたユーザ装置の数を含み；図２における方法はさらに：無線ネットワークコントローラから共通測定初期化要求を受信することを含み、ここで、共通測定初期化要求は、共通測定結果の通知を要求するために使用され、そして、２２０において、共通測定結果は、共通測定要求及び第１のリソースプール及び／又は第２のリソースプールのリソースの使用に従って、無線ネットワークコントローラに通知されてもよい。
【００７４】
本出願の実施例によると、共通測定初期化要求は：リソース切り替えの統計的な情報に含まれる数が第１の事前に設定された閾値よりも大きい場合に、無線ネットワークコントローラに、共通測定結果を通知することを指示するために用いられる、第１の事前に設定された閾値を含む。
【００７５】
本出願の実施例によると、第１のリソースプールの許可されたリソースの統計的な情報は：事前に定められた時間内において、上りリンクの送信を行うために、第１の送信時間間隔を使用するユーザ装置に対して許可された複数のリソースの数を含み；第１のリソースプールの否定されたリソースの統計的な情報は：事前に定められた時間内において、基地局において検出されたが、第１のリソースプールの共通Ｅ−ＣＤＨリソースの割り当てを拒否された、複数のランダムアクセスチャネルプリアンブルの数を含む。
【００７６】
選択的に、他の実施例として、無線ネットワークコントローラにより送信され、かつ第１のリソースプールの範囲を増加させるために使用される、再構成要求を受信する。
【００７７】
選択的に、他の実施例として、指示情報は、さらに：拒否されたリソースの統計的な情報を含み、ここで、拒否されたリソースの統計的な情報は：事前に定められた時間内において、基地局において検出されたが、共通Ｅ−ＤＣＨリソースの割り当てを拒否された複数のランダムアクセスプリアンブルの数を含み；指示情報は、さらに、無線ネットワークコントローラにより、第２のリソースプールの範囲を調整するために使用され；ここで、図２の方法はさらに：無線ネットワークコントローラにより送信され、かつ第２のリソースプールの範囲を増加するために使用される、再構成要求、の受信を含む。
【００７８】
本出願の実施例によると、指示情報は：第１のリソースプールの構成の調整モードを指示するために使用されるリソースの調整指示情報を含む。
【００７９】
本出願の実施例によると、リソースの調整指示情報は：基地局により必要とされる第１のリソースプールの複数のリソースの数及び基地局により必要とされる第２のリソースプールの複数のリソースの数、又は基地局により必要とされる第１のリソースプールの中の複数のリソースの数及び基地局により必要とされる第１のリソースプールの中の複数のリソースの数と基地局により必要とされる第２のリソースプールの中の複数のリソースの数との間の比例関係、又は基地局により必要とされる第２のリソースプールの中の複数のリソースの数及び基地局により必要とされる第１のリソースプールの中の複数のリソースの数と基地局により必要とされる第２のリソースプールの中の複数のリソースの数との間の比例関係、又は基地局により必要とされる第２のリソースプールの中の複数のリソースの数の増加量、を含む。
【００８０】
選択的に、他の実施例として、指示情報はさらに：シグネチャの構成のための調整モードを指示するために使用されるシグネチャの調整指示情報を含み、ここで、図２の方法はさらに：無線ネットワークコントローラにより送信され、かつシグネチャの範囲を増加するために使用される再構成要求の受信、を含む。
【００８１】
本出願の実施例によると、上りリンクの共通Ｅ−ＤＣＨは、ユーザ装置のアイドルモード又はフォワードアクセスチャネル状態において上りリンクの送信を行うために使用され、ここで、第１の送信時間間隔は２ｍｓの送信時間間隔を含み、かつ第２の送信時間間隔は、１０ｍｓの送信時間間隔を含む。
【００８２】
前述のメッセージは、専用のシグナリングのフォーマットを使用してもよく、そしてさらに共通の情報の中で送信されてもよい、ということが理解されるべきである。
【００８３】
以下において、複数の具体例と組み合わせて、本発明の複数の実施例をより詳細に説明する。
【００８４】
図３は本出願の実施例に従う、リソース構成を調整する処理の概略フローチャートである。
【００８５】
３１０：無線ネットワークコントローラ（例えば、ＲＮＣ）は、リソースプールの構成情報を基地局（例えば、ＮｏｄｅＢ）に送信する。
【００８６】
例えば、無線ネットワークコントローラは、上りリンクの共通Ｅ−ＤＣＨリソースプールの構成情報を基地局に送信してもよく、ここで、構成情報は、２ｍｓのＴＴＩ及び２ｍｓのＴＴＩに対応する第１のリソースプール（サブリソースプールとも呼ばれる）の構成情報、及び１０ｍｓのＴＴＩに対応する第２のリソースプール（一般リソースプールとも呼ばれる）の構成情報を含んでもよい。第１のリソースプールは、第２のリソースプールのサブセットであってもよい。例えば、基地局は、構成情報にしたがって：２ｍｓのＴＴＩに対応する第１のリソースプールは０から１５の複数のインデックスを伴う複数の共通Ｅ−ＤＣＨリソースを含み、かつ１０ｍｓのＴＴＩに対応する第２のリソースプールは０から３１の複数のインデックスを伴う複数の共通Ｅ−ＤＣＨリソースを含む、ということを認識してもよい。複数のＴＴＩが共存する場合において、リソースの構成情報は、複数のＴＴＩ及び複数のＴＴＩに対応する複数のリソースプールの構成情報を含んでもよい、ということが理解されるべきである。
【００８７】
３２０：無線ネットワークコントローラは、基地局に、共通測定初期化要求（Ｃｏｍｍｏｎ  Ｍｅａｓｕｒｅｍｅｎｔ  Ｉｎｉｔｉａｔｉｏｎ  Ｒｅｑｕｅｓｔ）メッセージを送信する。
【００８８】
例えば、無線ネットワークコントローラは、制御ポート（Ｃｏｎｔｒｏｌ  Ｐｏｒｔ）を介して共通測定初期化要求メッセージを基地局に送信してもよい。
【００８９】
無線ネットワークコントローラは、２つの情報要素を構成してもよい：共通測定初期化要求メッセージにおける、許可された複数のＥ−ＤＣＨリソース（Ｇｒａｎｔｅｄ  Ｅ−ＤＣＨ  Ｒｅｓｏｕｒｃｅｓ）及び拒否された複数のＥ−ＤＣＨリソース（Ｄｅｎｉｅｄ  Ｅ−ＤＣＨ  Ｒｅｓｏｕｒｃｅｓ）。つまり、共通測定初期化要求メッセージの共通測定タイプ（ｃｏｍｍｏｎ  ｍｅａｓｕｒｅｍｅｎｔ  ｔｙｐｅ）は、許可された複数のＥ−ＤＣＨリソース及び拒否された複数のＥ−ＤＣＨリソースを含む。
【００９０】
本出願の実施例において、共通測定初期化要求メッセージにおける共通測定タイプは、さらに、第１のリソースプールと第２のリソースプールとの間におけるリソース切り替えの統計的な情報、つまり、１０ｍｓのＴＴＩに変更された（置き換えられた、切り替えられた）２ｍｓのＴＴＩの数の統計的な値、を伴って構成される。統計的な値は：事前に定められた時間内において、ランダムアクセスを実行し、かつ上りリンクの送信を実行するために２ｍｓのＴＴＩを選択したが、上りリンクの送信を行うために１０ｍｓのＴＴＩの使用を許可された複数のユーザ装置（例えば、ＵＥ）の数、として定義されてもよい。換言すると、統計的な値は、そのような複数のユーザ装置の数の統計的な値として定義されてもよく、つまり、事前に定められた時間内において、ランダムアクセスを行う場合に（例えば、前述の拡張されたＲＡＣＨアクセス）、これらのユーザ装置は、２ｍｓのＴＴＩプリアンブルシグネチャ（つまり、２ｍｓのＴＴＩに対応するプリアンブルシグネチャを含むランダムアクセスプリアンブル）を選択したが、基地局は、ランダムアクセスプリアンブルを検出した後、２ｍｓのＴＴＩを１０ｍｓのＴＴＩに変更する（交換する）ことを許可するために、ＡＩＣＨを介して、１０ｍｓのＴＴＩに対応するリソースのインデックスをこれらのユーザ装置に送信する。
【００９１】
さらに、共通測定初期化要求メッセージの測定閾値（Ｍｅａｓｕｒｅｍｅｎｔ  Ｔｈｒｅｓｈｏｌｄ）及び測定増加／減少閾値（Ｍｅａｓｕｒｅｍｅｎｔ  Ｉｎｃｒｅａｓｅ／Ｄｅｃｒｅａｓｅ  Ｔｈｒｅｓｈｏｌｄ）は、拒否された複数のＥ−ＤＣＨリソース及び／又は１０ｍｓのＴＴＩに変更された（交換された、切り替えられた）２ｍｓのＴＴＩ、及び拒否された複数のＥ−ＤＣＨリソースの閾値及び１０ｍｓのＴＴＩに変更された（交換された、切り替えられた）２ｍｓのＴＴＩの閾値を含む。無線ネットワークコントローラは、現在構成されている複数のリソースの数に従って、拒否された複数のＥ−ＤＣＨリソースの数及び／又は１０ｍｓＴＴＩに変更された（交換された、切り替えられた）２ｍｓのＴＴＩの数の統計的な値の予測値を判定する。つまり、拒否された複数のＥ−ＤＣＨリソースの数及び／又は１０ｍｓのＴＴＩに変更された（交換された、切り替えられた）２ｍｓのＴＴＩの数が妥当であるか予測し、そして従って、予測値に従って、前述の複数の閾値を事前に設定する。例えば、無線ネットワークコントローラが１０ｍｓのＴＴＩに変更された（交換された、切り替えられた）２ｍｓのＴＴＩの妥当な数は２であると予測した場合、１０ｍｓのＴＴＩに変更された（交換された、切り替えられた）２ｍｓのＴＴＩの閾値を２に設定し；第１のリソースプールの複数のリソースの数は１０であると仮定され；無線ネットワークコントローラが１０ｍｓのＴＴＩに変更された（交換された、切り替えられた）２ｍｓのＴＴＩの妥当な数は５であると予測した場合；１０ｍｓのＴＴＩに変更された（交換された、切り替えられた）２ｍｓのＴＴＩの閾値を５に設定し；第２のリソースプールの複数のリソースの数は２０であると仮定される。
【００９２】
３３０：基地局は、共通測定結果を生成する。
【００９３】
例えば、基地局は、共通測定初期化要求メッセージの中に含まれるパラメータに従って、要求された測定を初期化してもよく、換言すると、リソースプールの中のリソースの使用についての統計を収集する。基地局は、リソースプールのリソースの使用に従って共通測定結果を生成するために、指定された時間内のリソースプールの中のリソースの使用を測定してもよい。リソースプールのリソースの使用は、１０ｍｓのＴＴＩに変更された（交換された、切り替えられた）２ｍｓのＴＴＩの数の統計的な値、許可された複数のＥ−ＤＣＨリソースの数の統計的な値、及び拒否された複数のＥ−ＤＣＨリソースの統計的な値であってもよい。共通測定結果は、リソースプールの前述のリソースの使用を含んでもよい。
【００９４】
３４０：基地局は、無線ネットワークコントローラに、共通測定初期化レスポンス（Ｃｏｍｍｏｎ  Ｍｅａｓｕｒｅｍｅｎｔ  Ｉｎｉｔｉａｔｉｏｎ  Ｒｅｓｐｏｎｓｅ）メッセージを送信する。
【００９５】
例えば、共通測定初期化要求メッセージを受信した後、無線ネットワークコントローラにより要求された測定を初期化することが可能な場合、基地局は、無線ネットワークコントローラに共通測定初期化レスポンスメッセージを送信してもよく、かつ必要に応じて、共通測定レスポンスメッセージの中で、共通測定結果を送信してもよい（つまり、無線ネットワークコントローラの必要に応じて、共通測定結果を通知する）。
【００９６】
３５０：基地局は、共通測定報告メッセージを介して、無線ネットワークコントローラに、共通測定結果を送信する。３５０はオプションであるということが理解されるべきである。
【００９７】
基地局は、無線ネットワークコントローラにより設定された報告モードに従って、無線ネットワークコントローラに、共通測定報告メッセージを送信してもよい。報告モードは、周期的な報告、イベントによりトリガされる報告、又は無線ネットワークコントローラが基地局に報告するよう要求するメッセージを送信する（つまり、オンデマンドの報告）等であってもよい。
【００９８】
例えば、イベントによりトリガされる報告モードに関して、無線ネットワークコントローラは、基地局に対して拒否された複数のＥ−ＤＣＨリソースの数の統計的な値を報告するようにトリガするための閾値を設定してもよく、つまり、拒否された複数のＥ−ＤＣＨリソースの数の統計的な値が事前に設定された閾値を超えた後、及び／又は１０ｍｓのＴＴＩに変更された（交換された、切り替えられた）２ｍｓのＴＴＩの数の統計的な値が他の事前に設定された閾値を超えた後、基地局は、統計的な値を報告するようにトリガされ、かつ基地局は、１０ｍｓのＴＴＩに変更された（交換された、切り替えられた）２ｍｓのＴＴＩの数、許可された複数のＥ−ＤＣＨリソースの数の統計的な値、及び拒否された複数のＥ−ＤＣＨリソースの数の統計的な値を同時に報告してもよい（つまり、イベントによりトリガされる報告）。
【００９９】
３６０：無線ネットワークコントローラは、第１のリソースプール、第２のリソースプール、及びシグネチャの複数の範囲を調整し、かつ物理共有チャネル再構成要求（Ｐｈｙｓｉｃａｌ  Ｓｈａｒｅｄ  Ｃｈａｎｎｅｌ  Ｒｅｃｏｎｆｉｇｕｒａｔｉｏｎ  Ｒｅｑｕｅｓｔ）メッセージをユーザ装置に送信する。
【０１００】
例えば、前述の共通測定結果に従って、共通Ｅ−ＤＣＨリソースの構成（例えば、第１のリソースプール、第２のリソースプール、及びシグネチャの構成）を調整した後、無線ネットワークコントローラは、物理共有チャネル再構成要求メッセージを使用することにより、調整された第１のリソースプール、第２のリソースプール、及びシグネチャの構成情報を基地局に通知してもよい。例えば、無線ネットワークコントローラは、１０ｍｓのＴＴＩに変更された（交換された、切り替えられた）２ｍｓのＴＴＩの数の統計的な値に従って、第１のリソースプールの範囲を動的に調整してもよく、そしてさらに、拒否された複数のＥ−ＤＣＨリソースの数の統計的な値及び／又は許可された複数のＥ−ＤＣＨリソースの統計的な値に従って、第２のリソースプールの範囲を調整してもよい。例えば、具体的には、リソース調整モードは以下の通りである：
【０１０１】
拒否された複数のＥ−ＤＣＨリソースの数の統計的な値が非常に小さく（例えば、事前に設定された閾値よりも小さい）かつ１０ｍｓのＴＴＩに変更された（交換された、切り替えられた）２ｍｓのＴＴＩの数が非常に大きい（例えば、事前に定められた閾値よりも大きい）場合、それは、第２のリソースプールは十分であるが、第１のリソースプールは不十分であり、そして従って、無線ネットワークコントローラは、第１のリソースプールの比率を増加する必要があるということを表し、さらに、無線ネットワークコントローラは、２ｍｓのＴＴＩに対応する複数のリソースの数の増加に従って、２ｍｓのＴＴＩに対応する複数のシグネチャの数を増加してもよい。
【０１０２】
拒否された複数のＥ−ＤＣＨリソースの数の統計的な値が非常に小さく、かつ１０ｍｓのＴＴＩに変更された（交換された、切り替えられた）２ｍｓのＴＴＩの数がさらに非常に小さい（例えば、事前に定められた閾値よりも小さい）場合、それは、第２のリソースプールは十分であり、かつ第１のリソースプールは十分であることを示し、そして第１のリソースプールを調整する必要はない。
【０１０３】
拒否された複数のＥ−ＤＣＨリソースの数の統計的な値が非常に大きく（例えば、事前に定められた閾値よりも大きい）かつ１０ｍｓのＴＴＩに変更された（交換された、切り替えられた）２ｍｓのＴＴＩの数がさらに非常に大きい場合、それは、第２のリソースプールは不十分であり、かつ第１のリソースプールもまた不十分である、ということを表し、そして従って、第１のリソースプール及び第２のリソースプールの双方の範囲を増加する必要があり；さらに、無線ネットワークコントローラは、２ｍｓのＴＴＩに対応する複数のリソースの数の統計的な値の増加に従って、２ｍｓのＴＴＩに対応する複数のシグネチャの数を増やしてもよい。
【０１０４】
拒否された複数のＥ−ＤＣＨリソースの数の統計的な値が非常に大きく、かつ１０ｍｓのＴＴＩに変更された（交換された、切り替えられた）２ｍｓのＴＴＩの数が比較的小さい場合、それは、第２のリソースプールは不十分であり、かつ第１のプールは十分であることを表し、そして従って、第２のリソースプールの範囲を増加する必要がある。
【０１０５】
３７０：無線ネットワークコントローラは、システム情報変更指示（Ｓｙｓｔｅｍ  Ｉｎｆｏｒｍａｔｉｏｎ  Ｃｈａｎｇｅ  Ｉｎｄｉｃａｔｉｏｎ）メッセージをユーザ装置に送信する。
【０１０６】
例えば、無線ネットワークコントローラは、同時に報知メッセージを調整し、例えば、システム情報変更指示メッセージの中の共通Ｅ−ＤＣＨリソースの構成情報を調整する。無線ネットワークコントローラは、システム情報変更指示メッセージを介して、ユーザ装置に第１のリソースプール及び第２のリソースプールの情報を再取得するように指示してもよく、つまり、調整された第１のリソースプール、第２のリソースプール、及びシグネチャの構成情報を取得するために報知メッセージを再読み込みするようにユーザ装置に指示してもよい。
【０１０７】
図４は、本出願の他の実施例に従うリソース構成を調整する処理の概略フローチャートであり；図４における実施例の中の４１０、４３０、４５０、及び４７０は、図３における実施例の中の３１０、３３０、３５０、及び３７０と同様であり、そしていくつかの詳細はここには記載されない。
【０１０８】
４１０：無線ネットワークコントローラは、リソースプールの構成情報を基地局に送信する。
【０１０９】
４２０：無線ネットワークコントローラは、共通測定初期化要求（Ｃｏｍｍｏｎ  Ｍｅａｓｕｒｅｍｅｎｔ  Ｉｎｉｔｉａｔｉｏｎ  Ｒｅｑｕｅｓｔ）メッセージを基地局に送信する。
【０１１０】
図３の３２０とは異なり、本出願のこの実施例においては、２ｍｓのＴＴＩの許可された複数のＥ−ＤＣＨリソース（２ｍｓ  ＴＴＩ  Ｇｒａｎｔｅｄ  Ｅ−ＤＣＨ  Ｒｅｓｏｕｒｃｅｓ）の数の統計的な値が、共通測定初期化要求メッセージの共通測定タイプの中に加えられてもよく、そして、それは：一定期間内において、Ｒｅｌ−１１バージョンにおける２ｍｓのＴＴＩのユーザ装置（つまり、上りリンクの送信を行うために２ｍｓのＴＴＩを選択したユーザ装置）に対して許可された２ｍｓのＴＴＩの複数の共通Ｅ−ＤＣＨリソースの数として定義される。
【０１１１】
無線ネットワークコントローラは、１０ｍｓのＴＴＩに変更された（交換された、切り替えられた）２ｍｓのＴＴＩの数の統計的な値及び２ｍｓのＴＴＩの許可された複数のＥ−ＤＣＨリソースの数の統計的な値に従って、２ｍｓのＴＴＩに対応する第１のリソースプールの範囲を動的に調整してもよい。また、無線ネットワークコントローラは、Ｒ８バージョンにおいて定義される許可された複数のＥ−ＤＣＨリソースの数の統計的な値及び拒否された複数のＥ−ＤＣＨリソースの数の統計的な値に従って、第２のリソースプールの範囲を動的に調整してもよい。
【０１１２】
また、選択的に、２ｍｓのＴＴＩの拒否された複数のＥ−ＤＣＨリソース（２ｍｓ  ＴＴＩ  Ｄｅｎｉｅｄ  Ｅ−ＤＣＨ  Ｒｅｓｏｕｒｃｅｓ）の数の統計的な値は、共通測定タイプの中に加えられてもよく、そしてそれは；一定期間内において、基地局により検出されたが、２ｍｓのＴＴＩの複数の共通Ｅ−ＤＣＨリソースの割り当てを拒否された複数のランダムアクセスプリアンブルの数、として定義される。
【０１１３】
４３０：基地局は共通測定結果を生成する。
【０１１４】
例えば、基地局は、共通測定初期化要求メッセージの中に含まれるパラメータに従って、要求された測定を初期化してもよく、換言すると、リソースプールの中のリソースの使用についての統計を収集する。基地局は、リソースプールのリソースの使用に従って、共通測定結果を生成するために、指定された時間内（例えば、２０ｍｓ）のリソースプールの中のリソースの使用を測定してもよい。リソースプールのリソースの使用は、１０ｍｓのＴＴＩに変更された（交換された、切り替えられた）２ｍｓのＴＴＩの数の統計的な値、許可された複数のＥ−ＤＣＨリソースの数の統計的な値、拒否された複数のＥ−ＤＣＨリソースの数の統計的な値、及び２ｍｓのＴＴＩの許可された複数のＥ−ＤＣＨリソースの数の統計的な値であってもよい。選択的に、リソースプール内のリソースの使用は、２ｍｓのＴＴＩの拒否された複数のＥ−ＤＣＨリソースをさらに含んでもよい。共通測定結果は、リソースプールの前述のリソースの使用を含んでもよい。
【０１１５】
４４０：基地局は、無線ネットワークコントローラに共通測定レスポンス（Ｃｏｍｍｏｎ  Ｍｅａｓｕｒｅｍｅｎｔ  Ｉｎｉｔｉａｔｉｏｎ  Ｒｅｓｐｏｎｓｅ）メッセージを送信する。
【０１１６】
４５０：基地局は、共通測定報告（ｃｏｍｍｏｎ  ｍｅａｓｕｒｅｍｅｎｔ  ｒｅｐｏｒｔ）メッセージにより、共通測定結果を無線ネットワークコントローラに送信する。
【０１１７】
４６０：無線ネットワークコントローラは、第１のリソースプール、第２のリソースプール、及びシグネチャの複数の範囲を調整し、かつ物理共通チャネル再構成要求メッセージを基地局に送信する。
【０１１８】
例えば、前述の共通測定結果に従って、共通Ｅ−ＤＣＨリソースを調整した後（例えば、第１のリソースプール、第２のリソースプール、及びシグネチャの構成）、無線ネットワークコントローラは、物理共有チャネル再構成要求メッセージを用いることにより、基地局に、調整された第１のリソースプール、第２のリソースプール、及びシグネチャの構成情報を通知してもよい。例えば、無線ネットワークコントローラは、１０ｍｓのＴＴＩに変更された（交換された、切り替えられた）２ｍｓのＴＴＩの数の統計的な値及び２ｍｓのＴＴＩの許可された複数のＥ−ＤＣＨリソースの数の統計に従って、第１のリソースプールの範囲を動的に調整してもよく、そしてさらに、拒否された複数のＥ−ＤＣＨリソースの数の統計的な値及び／又は許可された複数のＥ−ＤＣＨリソースの数の統計的な値に従って、第２のリソースプールを調整してもよい。例えば、具体的なリソース調整モードは以下の通りである：
【０１１９】
１．第２のリソースプールは十分である（例えば、拒否された複数のＥ−ＤＣＨリソースの数の統計的な値は、事前に定められた閾値よりも小さい）。
【０１２０】
２ｍｓのＴＴＩの許可された複数のＥ−ＤＣＨリソースの数の統計的な値が、現在のセルについて無線ネットワークコントローラにより構成された第１のリソースプールの中の複数のリソースの総数に近づいた又は達した場合、又は１０ｍｓのＴＴＩに変更された（交換された、切り替えられた）２ｍｓのＴＴＩの数の統計的な値がゼロよりも大きい場合（１０ｍｓのＴＴＩに切り替えられている２ｍｓのＴＴＩが存在するということを含める）、無線ネットワークコントローラは、第１のリソースプールの範囲を増やし、かつ第２のリソースプールの範囲を不変としてもよい；さらに、無線ネットワークコントローラは、２ｍｓのＴＴＩに対応する複数のリソースの数の増加に従って、２ｍｓＴＴＩに対応する複数のシグネチャの数を増やしてもよい。
【０１２１】
２ｍｓのＴＴＩの許可された複数のＥ−ＤＣＨリソースの数の統計的な値が正常（例えば、事前に定められた閾値以下）であるが、１０ｍｓのＴＴＩに変更された（交換された、切り替えられた）２ｍｓのＴＴＩの数の統計的な値がゼロより大きい場合（１０ｍｓのＴＴＩに切り替えられる２ｍｓのＴＴＩが存在することを表す）、それは、２ｍｓのＴＴＩに対応する複数のリソースのいくつかが１０ｍｓのＴＴＩに対応する複数のリソースに対して構成されることを表し；この場合、第１のリソースプールの範囲は、調整されなくてもよい（このシナリオにおいて報告される現在の測定量は比較的正確である）。
【０１２２】
２ｍｓのＴＴＩの許可された複数のＥ−ＤＣＨリソースの数の統計的な値が正常である場合、又は１０ｍｓのＴＴＩに変更された（交換された、切り替えられた）２ｍｓのＴＴＩの数がゼロである場合、それは、２ｍｓのＴＴＩに対応する第１のリソースプールが十分であることを表し；この場合において、２ｍｓのＴＴＩに対応する第１のリソースプールを調整する必要はないかもしれない。
【０１２３】
２．第２のリソースプールが不十分（例えば、拒否された複数のＥ−ＤＣＨリソースの数の統計的な値が事前に定められた閾値よりも大きい）である場合、無線ネットワークコントローラは、１０ｍｓのＴＴＩに変更された（交換された、切り替えられた）２ｍｓのＴＴＩの数に従って、第１のリソースプールの範囲を調整するかどうかを判定する。
【０１２４】
１０ｍｓのＴＴＩに変更された（交換された、切り替えられた）２ｍｓのＴＴＩの数の統計的な値がゼロに等しい場合、又は２ｍｓのＴＴＩの許可された複数のＥ−ＤＣＨリソースの数の統計的な値が非常に小さい（例えば、事前に定められた閾値よりも小さい）場合、無線ネットワークコントローラは、第１のリソースプールの範囲を増やす必要はなく、そして第２のリソースプールの範囲だけを増やす。
【０１２５】
１０ｍｓのＴＴＩに変更された（交換された、切り替えられた）２ｍｓのＴＴＩの数の統計的な値が０より大きく（例えば、事前に定められた閾値よりも大きい）、かつ２ｍｓの許可された複数のＥ−ＤＣＨリソースの数の統計的な値が、現在のセルについて無線ネットワークコントローラにより構成された第１のリソースプールの複数のリソースの総数に達した場合、無線ネットワークコントローラは、第１のリソースプール及び第２のリソースプールの双方の範囲を同時に増やす必要がある；さらに、無線ネットワークコントローラは、２ｍｓのＴＴＩに対応する複数のリソースの数の増加に従って、２ｍｓのＴＴＩに対応する複数のシグネチャの数を増やしてもよい。
【０１２６】
１０ｍｓのＴＴＩに変更された（交換された、切り替えられた）２ｍｓのＴＴＩの数の統計的な値がゼロより大きく（例えば、事前に定められた閾値よりも大きい）、かつ２ｍｓの許可された複数のＥ−ＤＣＨリソースの数の統計的な値が非常に小さい（例えば、事前に定められた閾値よりも小さい）場合、無線ネットワークコントローラは、第１のリソースプールの範囲を増やす必要はなく、そして第２のリソースプールの範囲を別々に増やす。
【０１２７】
選択的に、基地局で検出されたが、事前に定められた時間内に２ｍｓのＴＴＩの共通Ｅ−ＤＣＨリソースの割り当てを拒否された複数のランダムアクセスチャネルプリアンブルの数が事前に定められた閾値よりも大きい場合、第１のリソースプールの範囲を増やしてもよい。
【０１２８】
４７０：無線ネットワークコントローラは、第１のリソースプール及び第２のリソースプールの構成情報を再取得するように、ユーザ装置に無線で指示する。
【０１２９】
図５は、本出願のさらに他の実施例に従う、リソース構成を調整するプロセスの概略フローチャートである。
【０１３０】
５１０：無線ネットワークコントローラは、リソースプールの構成情報を基地局に送信する。図５における５１０は、図３における３１０と同様であり、そしてここにおいては再度の説明は行われない。
【０１３１】
５２０：基地局は、リソース調整指示情報を生成する。
【０１３２】
ノードＢは、セルのＲ１１バージョンの２ｍｓのＴＴＩリソースの使用に従って、使用の統計的な値及び共通Ｅ−ＤＣＨリソースの使用の他の統計的な値を計算してもよく、かつこれらの統計的な値に従って、無線ネットワークコントローラにリソース指示情報を通知してもよい。ここで、リソース指示情報は、どのように共通Ｅ−ＤＣＨリソース調整を行うかについて、無線ネットワークコントローラに指示するために用いられる、つまり、第１のリソースプールの構成についての調整モード及び第２のリソースプールについての調整モードを指示するために用いられる。
【０１３３】
リソース調整指示情報は、例えば、各リソースプールの中の必要な複数のリソースの数の報告又は第１のリソースプールの中の必要な複数のリソースの数及び２つのリソースプールの間の比例関係の報告又は第２のリソースプールにおいて必要な複数のリソースの数及び２つのリソースプールの間の比例関係の報告等の、２ｍｓのＴＴＩの第１のリソースプール及び第２のリソースプールの情報を含んでもよく；さらに、リソース指示情報は、例えば、２ｍｓのＴＴＩに対応する第１のリソースプールをどのように分割するかを指示するリソースインデックス（又は数）、又は第１のリソースプールについて追加する必要のある複数のリソースの数を指示する情報等の、２ｍｓのＴＴＩに対応するリソースプールの情報のみを含んでもよい。
【０１３４】
選択的に、リソース調整指示情報は、さらに、シグネチャの構成に関する調整モードを指示するために使用される、シグネチャ分割指示情報を含んでもよい。例えば、４つの部分：Ｒ９９バージョンのＲＡＣＨアクセス、Ｒ８バージョンの拡張されたＲＡＣＨアクセス、Ｒ１１バージョンの２ｍｓのＴＴＩの拡張されたＲＡＣＨアクセス、及びＲ１１バージョンの１０ｍｓのＴＴＩの拡張されたＲＡＣＨアクセス：に対応する複数のシグネチャの数が送信されてもよく、或いは３つの部分：Ｒ８８バージョンのＲＡＣＨ、Ｒ８及びＲ１１バージョンの１０ｍｓのＴＴＩ、及びＲ１１バージョンの２ｍｓのＴＴＩ：に対応する複数のシグネチャの数が含まれてもよい。
【０１３５】
５３０：基地局は、リソース調整指示情報を無線ネットワークコントローラに送信する。
【０１３６】
例えば、リソース調整指示情報は、ノードＢアプリケーション部／無線ネットワークサブシステムアプリケーション部（Ｎｏｄｅ  Ｂ  Ａｐｐｌｉｃａｔｉｏｎ  Ｐａｒｔ／ＲＮＳ  Ａｐｐｌｉｃａｔｉｏｎ  Ｐａｒｔ、ＮＢＡＰ／ＲＮＳＡＰ）のメッセージ又は無線ネットワークコントローラに送信されるデータフレームに含まれてもよい。
【０１３７】
５４０：無線ネットワークコントローラは、第１のリソースプール、第２のリソースプール、及びシグネチャの複数の範囲を調整し、そして物理共有チャネル再構成要求メッセージを基地局に送信する。
【０１３８】
リソース調整指示情報が、基地局により必要とされる各リソースプールの中の複数のリソースの数、例えば、１０及び２０、を含む場合、無線ネットワークコントローラは、第１のリソースプールの中の複数のリソースの数及び第２のリソースプールの中の複数のリソースの数を１０及び２０に設定する。
【０１３９】
リソース調整指示情報が、基地局により必要とされる第１のリソースプールの中の複数のリソースの数及び２つのリソースプールの間の比例関係、例えば、１０及び１：２、を含む場合、無線ネットワークコントローラは、第１のリソースプールの中の複数のリソースの数及び第２のリソースプールのの中の複数のリソースの数を１０及び２０に設定する。
【０１４０】
リソース調整指示情報が、基地局により必要とされる第２のリソースプールの中の複数のリソースの数及び２つのリソースプールの間の比例関係、例えば、（２０、及び１：２）を含む場合、無線ネットワークコントローラは、第１のリソースプールの中の複数のリソースの数及び第２のリソースプールの中の複数のリソースの数を１０及び２０に設定する。
【０１４１】
リソース調整指示情報が、２ｍｓのＴＴＩに対応するリソースプールの情報、例えば、リソースインデックス（又は数）は１０、を含む場合、無線ネットワークコントローラは、０から９の複数のインデックスを伴う複数のリソースを含めるために、２ｍｓのＴＴＩに対応する第１のリソースプールの範囲を構成する。
【０１４２】
リソース調整指示情報が、基地局のいくつのリソースを第１のプールに加える必要があるかという情報、例えば、４、を含み、かつ構成の調整前の第１のリソースプールの中の複数のリソースの数が１０であった場合、無線ネットワークコントローラは、第１のリソースプールの中の複数のリソースの数を１４に構成する、例えば、０から９のインデックスは、０から１３に調整される。
【０１４３】
例えば、前述のリソース調整指示情報により送信されるＥ−ＤＣＨリソースの構成についての調整モードに従って、共通Ｅ−ＤＣＨリソースの構成（例えば、第１のリソースプール、第２のリソースプール、及びシグネチャの構成）を調整した後、無線ネットワークコントローラは、物理共有チャネル構成要求メッセージを使用することにより、調整された第１のリソースプール、第２のリソースプール、及びシグネチャの構成情報を基地局に通知してもよい。
【０１４４】
５５０：無線ネットワークコントローラは、システム情報変更指示メッセージをユーザ装置に送信する。
【０１４５】
無線ネットワークコントローラは、例えば、システム情報変更指示メッセージの中の共通Ｅ−ＤＣＨリソースの構成情報を調整すると同時に、報知メッセージを調整してもよい。無線ネットワークコントローラは、システム情報変更指示メッセージにより、第１のリソースプール及び第２のリソースプールの情報を再取得することをユーザ装置に指示してもよい、つまり、調整された第１のリソースプール、第２のリソースプール、及びシグネチャの構成情報を取得するための報知メッセージを再読み込みすることをユーザ装置に指示してもよい。
【０１４６】
図６は、本出願の実施例に従う、無線ネットワークコントローラ６００の概略構成図である。図６における無線ネットワークコントローラ６００は、送信部６１０、受信部６２０、及び調整プロセッサ６３０を含む。
【０１４７】
送信部６１０は、上りリンク共通拡張専用トランスポートチャネルＥ−ＤＣＨリソースプールの構成情報を基地局に送信する。ここで、上りリンクの共通Ｅ−ＤＣＨリソースプールの構成情報は、第１の送信時間間隔に対応する第１のリソースプールの情報及び第２の送信時間間隔に対応する第２のリソースプールの情報を含む。受信部６２０は、リソースプールの使用に従って基地局が送信する指示情報を受信する。調整プロセッサ６３０は、指示情報に従って、第１のリソースプールを調整する。
【０１４８】
本出願の実施例において、無線ネットワークコントローラは、指示情報に従ってリソースプールのリソースの構成を調整するために、異なる複数の送信時間間隔に対応する複数のリソースプールのリソースの使用に従って基地局が送信する指示情報を受信する。これにより、複数の送信時間間隔が共存する場合において、リソースプールの範囲を動的に調整することが可能となる。
【０１４９】
本出願の実施例によると、指示情報は、第１のリソースプールの構成についての調整モードを決定するために使用されるリソースプールの使用を含む。ここで、リソースプールの使用は、以下の統計的な情報の１つ以上を含む：第１のリソースプールの許可されたリソースの統計的な情報、第１のリソースプールと第２のリソースプールとの間でのリソース切り替えの統計的な情報、及び第１のリソースプールの拒否されたリソースの統計的な情報。
【０１５０】
選択的に、他の実施例として、指示情報は共通測定結果であり、ここで、リソース切り替えの統計的な情報は：事前に定められた時間内において、ランダムアクセスを実行し、かつ上りリンクの送信を行うために第１の送信時間間隔を選択したが、上りリンクの送信を行うために第２の送信時間間隔を使用することを許可されたユーザ装置の数、を含み；送信モジュールは、さらに、共通測定初期化要求を基地局に送信するように構成され、ここで、共通測定初期化要求は、共通測定結果を報告することを基地局に要求するために使用される。
【０１５１】
本出願の実施例によると、共通測定初期化要求は：リソース切り替えの統計的な情報の中に含まれる数が第１の事前に設定された閾値よりも大きい場合に、共通測定結果を報告することを基地局に指示するために使用される、第１の事前に設定された閾値を含む。
【０１５２】
選択的に、他の実施例として、リソース切り替えの統計的な情報に含まれる数が第２の事前に設定された閾値よりも大きい場合において、調整プロセッサ６３０は、第１のリソースプールの範囲を増やし、ここで、送信部６１０は、さらに、第１のリソースプールの範囲を増やすために使用される再構成要求を基地局に送信する。
【０１５３】
本出願の実施例によると、第１のリソースプールの許可されたリソースの統計的な情報は：事前に定められた時間内において、上りリンクの送信を行うために第１の送信時間間隔を使用するユーザ装置に対して基地局が許可した複数のリソースの数を含み；第１のリソースプールの拒否されたリソースの統計的な情報は：事前に定められた時間内において、基地局により検出されたが、第１のリソースプールの共通Ｅ−ＤＣＨリソースの割り当てを拒否されたランダムアクセスチャネルプリアンブルの数を含む。
【０１５４】
選択的に、他の実施例として、第１のリソースプールの許可されたリソースの統計的な情報の中に含まれる数が第３の閾値よりも大きい又はユーザ装置が位置するセルについて構成された第１のリソースプールの中の複数のリソースの総数に達した場合、調整プロセッサ６３０は、第１のリソースプールの範囲を増やす、或いはリソース切り替えの統計的な情報の中に含まれる数がゼロ以上であった場合において、第１のリソースプールの範囲を増やす、或いはリソース切り替えの統計的な情報の中に含まれる数がゼロより大きく、かつ第１のリソースプールの許可されたリソースの統計的な情報の中に含まれる数がセルについて構成された第１のリソースプールの中の複数のリソースの総数に達した場合、第１のリソースプールの範囲を増やす、或いは第１のリソースプールの拒否されたリソースの統計的な情報の中に含まれる数が第４の閾値よりも大きい場合において、第１のリソースプールの範囲を増やす；ここで、送信部６１０は、さらに、第１のリソースプールの範囲を増やすために使用される再構成要求を送信する。
【０１５５】
選択的に、他の実施例として、指示情報は、さらに：拒否されたリソースの統計的な情報を含み、ここで、拒否されたリソースの統計的な情報は：基地局により検出されたが、事前に定められた時間内において、共通のＥ−ＤＣＨの割り当てを拒否された複数のランダムアクセスチャネルプリアンブルの数を含み；指示情報は、さらに、第２のリソースプールの構成を調整することを指示するために使用され；拒否されたリソースの統計的な情報の中に含まれる数が第５の事前に定められた閾値よりも大きい場合において、調整プロセッサは、第２のリソースプールの範囲を増やし、ここで、送信部６１０は、さらに、第２のリソースプールの範囲を増やすために使用される再構成要求を基地局に送信する。
【０１５６】
本出願の実施例によると、指示情報は：第１のリソースプールの構成に関する調整モードを指示するために使用される、リソースプールの調整指示情報を含む。
【０１５７】
本出願の実施例によると、リソースプールの調整指示情報は：基地局により必要とされる第１のリソースプールの中の複数のリソースの数及び基地局により必要とされる第２のリソースプールの中の複数のリソースの数、又は基地局により必要とされる第１のリソースプールの中の複数のリソースの数及び基地局により必要とされる第１のリソースプールの中の複数のリソースの数と基地局により必要とされる第２のリソースプールの中の複数のリソースの数との間の比例関係、又は基地局により必要とされる第２のリソースプールの中の複数のリソースの数及び基地局により必要とされる第１のリソースプールの中の複数のリソースの数と基地局により必要とされる第２のリソースプールの中の複数のリソースの数との間の比例関係、又はリソースのインデックス、又は基地局により必要とされる第２のリソースプールの中の複数のリソースの数の増加量を含む。
【０１５８】
選択的に、他の実施例として、指示情報は、さらに：シグネチャの構成についての調整モードを指示するために使用されるシグネチャの調整指示情報を含み、ここで、調整プロセッサ６３０は、さらに、シグネチャの調整指示情報に従って、上りリンクの送信を行うために第１の送信時間間隔を使用するユーザ装置によって使用されるシグネチャの範囲を調整する。
【０１５９】
選択的に、他の実施例として、調整プロセッサ６３０はさらに、第１のリソースプールの構成の調整に従って、上りリンクの送信を行うために第１の送信時間間隔を使用するユーザ装置により使用されるシグネチャの範囲を調整する。
【０１６０】
選択的に、他の実施例として、調整プロセッサが第１のリソースプールの範囲を調整した後、送信部６１０はさらに、基地局のために構成された第１のリソースプールの情報を再読み込みすることをユーザ装置に指示する。
【０１６１】
本出願の実施例によると、上りリンクの共通Ｅ−ＤＣＨは、ユーザ装置のアイドルモード又はフォワードアクセスチャネル状態における上りリンクの送信を行うために使用され、ここで、第１の送信時間間隔は２ｍｓの送信時間間隔を含み、そして第２の送信時間間隔は１０ｍｓの送信時間間隔を含む。
【０１６２】
図７は、本出願の他の実施例に従う、無線ネットワークコントローラ７００の概略構成図である。図７における無線ネットワークコントローラ７００は、受信部７１０及び送信部７２０を含む。
【０１６３】
受信部７１０は、無線ネットワークコントローラにより送信される上りリンクの共通拡張専用トランスポートチャネルＥ−ＤＣＨリソースプールの構成情報を受信するように構成され、ここで、上りリンクの共通Ｅ−ＤＣＨリソースプールの構成情報は、第１の送信時間間隔に対応する第１のリソースプールの情報及び第２の送信時間間隔に対応する第２のリソースプールの情報を含む。送信部７２０は、リソースプールのリソースの使用に従って、指示情報を無線ネットワークコントローラに送信するように構成され、ここで、指示情報は、第１のリソースプールの中のリソースの構成を調整するために無線ネットワークコントローラにより使用される。
【０１６４】
本出願の実施例において、基地局は、異なる複数の送信時間間隔に対応する複数のリソースプールのリソースの使用に従って、指示情報を無線ネットワークコントローラに送信してもよく、これにより、無線ネットワークコントローラは、リソースプールのリソースの構成を調整し、かつ複数のＴＴＩが共存する場合において、リソースプールの範囲を動的に調整することが可能となる。
【０１６５】
本出願の実施例によると、指示情報は、リソースプールの使用に従って、第１のリソースプールの構成についての調整モードを決定することを無線ネットワークコントローラに指示するために使用される、リソースプールの使用を含み、ここで、リソースプールの使用は、以下の統計的な情報の１つ以上を含む：第１のリソースプールの許可されたリソースの統計的な情報、第１のリソースプールと第２のリソースプールとの間のリソースの切り替えの統計的な情報、及び第１のリソースプールの拒否されたリソースの統計的な情報。
【０１６６】
選択的に、他の実施例として、指示情報は共通測定結果であり；リソース切り替えの統計的な情報は：事前に定められた時間内において、ランダムアクセスを行い、かつ上りリンクの送信を行うために第１の送信時間間隔を選択したが、上りリンクの送信を行うために第２の送信時間間隔を使用することを許可された複数のユーザ装置の数を含み；受信部７１０は、さらに、無線ネットワークコントローラから共通測定初期化要求を受信し、ここで、共通測定初期化要求は、共通測定結果の通知を要求するために使用され；ここで、送信部７２０は、さらに、共通測定結果及び第１のリソースプール及び／又は第２のリソースプールのリソースの使用に従って、共通測定結果を無線ネットワークコントローラに通知する。
【０１６７】
本出願の実施例によると、共通測定初期化要求は：リソース切り替えの統計的な情報の中に含まれる数が第１の事前に定められた閾値よりも大きい場合に、共通測定結果を無線ネットワークコントローラに通知することを指示するために使用される第１の事前に定められた閾値を含む。
【０１６８】
本出願の実施例によると、第１のリソースプールの許可されたリソースの統計的な情報は：事前に定められた時間内において、上りリンクの送信を行うために第１の送信時間間隔を使用するユーザ装置に対して許可された複数のリソースの数を含み；第１のリソースプールの拒否されたリソースの統計的な情報は：事前に定められた時間内において、基地局において検出されたが、第１のリソースプールの共通Ｅ−ＤＣＨリソースの割り当てを拒否されたランダムアクセスチャネルプリアンブルの数を含む。
【０１６９】
選択的に、他の実施例として、受信部７１０は、さらに、無線ネットワークコントローラにより送信され、かつ第１のリソースプールの範囲を増やすために使用される再構成要求を受信する。
【０１７０】
選択的に、他の実施例として、指示情報はさらに：拒否されたリソースの統計的な情報を含み、ここで、拒否されたリソースの統計的な情報は：事前に定められた時間内において、基地局において検出されたが、共通Ｅ−ＤＣＨリソースの割り当てを拒否された複数のランダムアクセスチャネルプリアンブルの数を含み；指示情報は、さらに、第２のリソースプールの範囲を調整するために無線ネットワークコントローラにより使用され；受信部７１０は、さらに、無線ネットワークコントローラにより送信され、かつ第２のリソースプールの範囲を増やすために使用される再構成要求を受信する。
【０１７１】
本出願の実施例によると、指示情報は：第１のリソースプールの構成についての調整モードを指示するために使用されるリソースの調整指示情報を含む。
【０１７２】
本出願の実施例によると、リソースの調整指示情報は：基地局により必要とされる第１のリソースプールの中の複数のリソースの数及び基地局により必要とされる第２のリソースプールの中の複数のリソースの数、又は基地局により必要とされる第１のリソースプールの中の複数のリソースの数及び基地局により必要とされる第１のリソースプールの中の複数のリソースの数と基地局により必要とされる第２のリソースプールの中の複数のリソースの数との間の比例関係、又は基地局により必要とされる第２のリソースプールの中の複数のリソースの数及び基地局により必要とされる第１のリソースプールの中の複数のリソースの数と基地局により必要とされる第２のリソースプールの中の複数のリソースの数との間の比例関係、又はリソースのインデックス、又は基地局により必要とされる第２のリソースプールの中の複数のリソースの数の増加量、を含む。
【０１７３】
選択的に、他の実施例として、指示情報は、さらに：シグネチャの構成の調整モードを指示するために使用されるシグネチャの調整指示情報を含み；受信部７１０は、さらに、無線ネットワークコントローラにより送信され、かつシグネチャの範囲を増やすために使用される、再構成要求を受信する。
【０１７４】
本出願の実施例によると、上りリンクの共通Ｅ−ＤＣＨは、ユーザ装置のアイドルモード又はフォワードアクセスチャネル状態において、上りリンクの送信を行うために使用され、ここで、第１の送信時間間隔は２ｍｓの送信時間間隔を含み、そして第２の送信時間間隔は１０ｍｓの送信時間間隔を含む。
【０１７５】
本明細書において開示される複数の実施例の中で説明される複数の例との組み合わせにおいて、複数のユニット及びアルゴリズムステップは、電子ハードウェア、又はコンピュータソフトウェア及び電子ハードウェアの組合せによって実現することが可能である、ということを当業者は認識できる。複数の機能がハードウェアにより実行されるか又はソフトウェアにより実行されるかについては、特定の複数のアプリケーション及び複数の技術的解決手段の設計制約条件に依存する。当業者は、各特定のアプリケーションについて、説明された複数の機能を実装する他の複数の方法を使用してもよいが、そのような実装が本出願の範囲を超えると考えるべきではない。
【０１７６】
便宜的かつ簡単な説明の目的のため、前述のシステム、装置、及びユニットの詳細な作動プロセスに関して、前述の複数の方法の実施例における対応するプロセスが参照されてもよく、そして詳細はここでは改めて説明しない、ということを当業者は明確に理解できる。
【０１７７】
本出願において提供されるいくつかの実施例において、開示されたシステム、装置、及び方法は、他の方法において実装されてもよい、ということを理解すべきである。例えば、前述した装置の複数の実施例は、単なる例示である。例えば、複数のユニットの分割は、単に論理的な複数の機能に基づいた分割であり、かつ実際の実装においては他の分割方法であってもよい。例えば、複数のユニット又は構成要素は、組み合わされてもよく、或いは他のシステムに統合されてもよく、或いはいくつかの特徴は無視されてもよく又は実行されなくてもよい。また、表示された又は考察された複数の相互結合又は複数の直接結合又は複数の通信接続は、いくつかのインターフェースを介して実装されてもよく；複数の装置又は複数のユニットの間の複数の間接的結合又は複数の通信接続は、電子的、機械的又は他の形態で実施されてもよい。
【０１７８】
複数の別個の部品として記載される複数のユニットは、物理的に分離されてもよく又は物理的に分離されなくてもよく、そして複数のユニットとして表示される複数の構成要素は複数の物理的ユニットであってもよく又は複数の物理的ユニットでなくてもよく、１つの位置に配置されてもよく、又は複数のネットワークユニットの上に分散されてもよい。複数のユニットの一部又は全ては、複数の実施例の複数の解決手段の複数の目的を達成するための実際の必要に従って選択されてもよい。
【０１７９】
また、本発明の複数の実施例における複数の機能ユニットは、１つの処理ユニットに統合されてもよく、又は複数のユニットのそれぞれは物理的に単独で存在してもよく、又は２つ以上のユニットが１つのユニットに統合される。
【０１８０】
複数の機能がソフトウェア機能部の形態で実施され、かつ独立した製品として販売又は使用される場合、複数の機能は、コンピュータ読み取り可能な記憶媒体に格納されてもよい。そのような理解に基づき、本出願の複数の技術手段は本質的に、又は従来技術に貢献する一部分、又は複数の技術的解決手段の一部は、ソフトウェア製品の形態で実施されてもよい。コンピュータソフトウェア製品は、記憶媒体の中に記憶され、かつコンピュータ装置（それはパーソナルコンピュータ、サーバ、ネットワークデバイス等であってもよい）又はプロセッサ（ｐｒｏｃｅｓｓｏｒ）に、本発明の複数の実施例において説明される複数の方法の複数のステップの全て又は一部を実行するように命令するための複数の命令を含む。記憶媒体は：ＵＳＢフラッシュディスク、着脱可能なハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓ  Ｍｅｍｏｒｙ）、磁気ディスク、又は光ディスク等の、複数のプログラムコードを記憶することが可能な任意の媒体を含む。
【０１８１】
前述の説明は、本出願の単なる特定の複数の実施例であるが、本発明の保護範囲を限定することは意図されていない。本出願における技術的範囲内で当業者により容易に見出されたいかなる変形又は置換も、本出願の保護範囲に属さなければならない。従って、本出願の保護範囲は、複数の特許請求項の保護範囲に従わなければならない。
【図１】
0005965545.tif 000002
【図２】
0005965545.tif 000003
【図３】
0005965545.tif 000004
【図４】
0005965545.tif 000005
【図５】
0005965545.tif 000006
【図６】
0005965545.tif 000007
【図７】
0005965545.tif 000008